(57)【要約】  本発明は、サービングネットワークにハンドオーバするための方法及び装置を開示する。本方法は、ＢＳＣ／ＲＮＣにより送信される第１Ｈａｎｄｏｖｅｒ  Ｒｅｑｕｅｓｔを受信するステップと、第１Ｈａｎｄｏｖｅｒ  Ｒｅｑｕｅｓｔに従ってターゲットＭＭＥに第２Ｈａｎｄｏｖｅｒ  Ｒｅｑｕｅｓｔを送信するステップであって、第２Ｈａｎｄｏｖｅｒ  Ｒｅｑｕｅｓｔは、ＩＭＳＩと、ソースＳＧＳＮを決定するための第１情報とを有し、ターゲットＭＭＥは、ＩＭＳＩを有するＣｏｎｔｅｘｔ  ＲｅｑｕｅｓｔメッセージをソースＳＧＳＮに送信し、ソースＳＧＳＮにより送信されるＩＭＳＩに対応するＵＥのコンテクスト情報を受信する、送信するステップとを有する。本装置は、ＭＳＣサーバ、ＳＧＳＮ、ＭＭＥ及びＢＳＣ／ＲＮＣを有する。本発明の実施例による方法及び装置は、ＭＳＣサーバにより決定されたＭＭＥを利用することによってコンテクスト情報についてソースＳＧＳＮに照会することによって、ｒＳＲＶＣＣハンドオーバプロセスにおいて、ＭＳＣサーバとＳＧＳＮとが同一のＭＭＥとやりとりし、ＭＳＣサーバとＳＧＳＮとが異なるＭＭＥを選択することから生じるハンドオーバの失敗を回避し、更にＰＳ及びＣＳハンドオーバプロセスを同期させ、ハンドオーバの精度及び効率性を向上させ、ユーザ体感を高めることが可能である。
2014526816.tif 000002
【特許請求の範囲】
【請求項１】
サービングネットワークにハンドオーバするための方法であって、
ＢＳＣ（Ｂａｓｅ  Ｓｔａｔｉｏｎ  Ｃｏｎｔｒｏｌｌｅｒ）／ＲＮＣ（Ｒａｄｉｏ  Ｎｅｔｗｏｒｋ  Ｃｏｎｔｒｏｌｌｅｒ）により送信される第１Ｈａｎｄｏｖｅｒ  Ｒｅｑｕｅｓｔを受信するステップと、
前記第１Ｈａｎｄｏｖｅｒ  Ｒｅｑｕｅｓｔに従ってターゲットＭＭＥ（Ｍｏｂｉｌｉｔｙ  Ｍａｎｇｅｍｅｎｔ  Ｅｎｔｉｔｙ）に第２Ｈａｎｄｏｖｅｒ  Ｒｅｑｕｅｓｔを送信するステップであって、前記第２Ｈａｎｄｏｖｅｒ  Ｒｅｑｕｅｓｔは、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）と、ソースＳＧＳＮ（Ｓｅｒｖｉｎｇ  ＧＰＲＳ  Ｓｕｐｐｏｒｔ  Ｎｏｄｅ）を決定するための第１情報とを有し、前記ターゲットＭＭＥは、前記ＩＭＳＩを有するＣｏｎｔｅｘｔ  Ｒｅｑｕｅｓｔメッセージを前記ソースＳＧＳＮに送信し、前記ソースＳＧＳＮにより送信される前記ＩＭＳＩに対応するＵＥのコンテクスト情報を受信する、送信するステップと、
を有する方法。
【請求項２】
当該方法は更に、
前記ターゲットＭＭＥにより送信されたＨａｎｄｏｖｅｒ  Ｃｏｍｐｌｅｔｅメッセージを受信するステップと、
関連するＣＳ（Ｃｉｒｃｕｉｔ  Ｓｗｉｔｃｈｅｄ）ドメインリソースをリリースし、前記Ｈａｎｄｏｖｅｒ  Ｃｏｍｐｌｅｔｅメッセージに従ってベアラリリースメッセージを前記ＲＮＣに送信するステップであって、タイマが満了すると、前記ＲＮＣは関連するＰＳ（Ｐａｃｋｅｔ  Ｓｗｉｔｃｈｅｄ）ドメインリソースをリリースし、前記タイマは、前記ＲＮＣが前記第１Ｈａｎｄｏｖｅｒ  Ｒｅｑｕｅｓｔを送信すると前記ＲＮＣによりスタートされる、送信するステップと、
を有する、請求項１記載の方法。
【請求項３】
前記第１Ｈａｎｄｏｖｅｒ  Ｒｅｑｕｅｓｔは、ＰＳハンドオーバ関連情報のみを有する、請求項１又は２記載の方法。
【請求項４】
前記第１Ｈａｎｄｏｖｅｒ  Ｒｅｑｕｅｓｔは、前記サービングネットワークがＰＳハンドオーバとＣＳハンドオーバとをサポートし、ＵＥがＣＳ及びＰＳ接続状態にあるとき、前記ＢＳＣ／ＲＮＣにより送信されるハンドオーバを要求するための一意的なメッセージである、請求項１乃至３何れか一項記載の方法。
【請求項５】
前記サービングネットワークがＨＳＰＡ（Ｈｉｇｈ  Ｓｐｅｅｄ  Ｐａｃｋｅｔ  Ａｃｃｅｓｓ）ネットワークであるとき、前記第１Ｈａｎｄｏｖｅｒ  Ｒｅｑｕｅｓｔは、前記ＲＮＣにより送信されるＲｅｌｏｃａｔｉｏｎ  Ｒｅｑｕｉｒｅｄメッセージ又は前記ＢＳＣにより送信されるＣＳ  Ｈａｎｄｏｖｅｒ  Ｒｅｑｕｉｒｅｄメッセージであり、
前記Ｒｅｌｏｃａｔｉｏｎ  Ｒｅｑｕｉｒｅｄメッセージ又は前記ＣＳ  Ｈａｎｄｏｖｅｒ  Ｒｅｑｕｉｒｅｄメッセージは、ソースＲＮＣからターゲットＲＮＣへのトランスペアレントコンテナを有し、
前記ソースＲＮＣからターゲットＲＮＣへのトランスペアレントコンテナにおけるＩｕインスタンスの数量は１に設定され、前記ソースＲＮＣからターゲットＲＮＣへのトランスペアレントコンテナは、ＰＳハンドオーバ関連情報のみを有する、請求項１乃至４何れか一項記載の方法。
【請求項６】
前記サービングネットワークがＬＴＥ（Ｌｏｎｇ  Ｔｅｒｍ  Ｅｖｏｌｕｔｉｏｎ）ネットワークであるとき、前記第１Ｈａｎｄｏｖｅｒ  Ｒｅｑｕｅｓｔは、前記ＲＮＣにより送信されるＲｅｌｏｃａｔｉｏｎ  Ｒｅｑｕｉｒｅｄメッセージ又は前記ＢＳＣにより送信されるＣＳ  Ｈａｎｄｏｖｅｒ  Ｒｅｑｕｉｒｅｄメッセージであり、
前記Ｒｅｌｏｃａｔｉｏｎ  Ｒｅｑｕｉｒｅｄメッセージ又は前記ＣＳ  Ｈａｎｄｏｖｅｒ  Ｒｅｑｕｉｒｅｄメッセージは、ソース基地局からターゲット基地局へのトランスペアレントコンテナを有し、前記ソース基地局からターゲット基地局へのトランスペアレントコンテナは、ＰＳハンドオーバ関連情報のみを有する、請求項１乃至４何れか一項記載の方法。
【請求項７】
サービングネットワークにハンドオーバするための方法であって、
ターゲットＭＭＥ（Ｍｏｂｉｌｉｔｙ  Ｍａｎａｇｅｍｅｎｔ  Ｅｎｔｉｔｙ）により送信されたＣｏｎｔｅｘｔ  Ｒｅｑｕｅｓｔメッセージを受信するステップであって、前記Ｃｏｎｔｅｘｔ  ＲｅｑｕｅｓｔメッセージはＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）を有し、前記Ｃｏｎｔｅｘｔ  Ｒｅｑｕｅｓｔメッセージは、ＭＳＣ（Ｍｏｂｉｌｅ  Ｓｗｉｔｃｈｉｎｇ  Ｃｅｎｔｅｒ）サーバからのＨａｎｄｏｖｅｒ  Ｒｅｑｅｕｓｔに従って前記ターゲットＭＭＥにより送信されるメッセージであり、前記Ｈａｎｄｏｖｅｒ  Ｒｅｑｕｅｓｔは、前記ＩＭＳＩとＳＧＳＮ（Ｓｅｒｖｉｎｇ  ＧＰＲＳ  Ｓｕｐｐｏｒｔ  Ｎｏｄｅ）を決定するための第１情報とを有する、受信するステップと、
前記Ｃｏｎｔｅｘｔ  Ｒｅｑｕｅｓｔメッセージに従って前記ターゲットＭＭＥにＣｏｎｔｅｘｔ  Ｒｅｓｐｏｎｓｅメッセージを送信するステップであって、前記Ｃｏｎｔｅｘｔ  Ｒｅｓｐｏｎｓｅメッセージは、前記ＩＭＳＩに対応するＵＥのコンテクスト情報を有する、送信するステップと、
を有する方法。
【請求項８】
当該方法は更に、
前記ターゲットＭＭＥにより送信されるハンドオーバの完了を通知するための通知メッセージを受信するステップと、
タイマをスタートし、前記タイマが満了すると、関連するＰＳリソースをリリースするステップと、
を有する、請求項７記載の方法。
【請求項９】
前記通知メッセージは、前記コンテクスト情報の受信を確認するため、基地局からのＨａｎｄｏｖｅｒ  Ｎｏｔｉｆｙメッセージに従って前記ターゲットＭＭＥにより送信されるメッセージである、請求項８記載の方法。
【請求項１０】
前記タイマが満了すると関連するＰＳリソースをリリースするステップは、前記タイマが満了すると、前記ＳＧＳＮ上の関連するＰＳリソースをリリースし、ＢＳＣ（Ｂａｓｅ  Ｓｔａｔｉｏｎ  Ｃｏｎｔｒｏｌｌｅｒ）／ＲＮＣ（Ｒａｄｉｏ  Ｎｅｔｗｏｒｋ  Ｃｏｎｔｒｏｌｌｅｒ）にＲｅｌｅａｓｅ  Ｒｅｓｏｕｒｃｅメッセージを送信することを含み、前記ＢＳＣ／ＲＮＣは、前記Ｒｅｌｅａｓｅ  Ｒｅｓｏｕｒｃｅメッセージに従って関連するＰＳリソースをリリースする、請求項８又は９記載の方法。
【請求項１１】
前記タイマが満了すると関連するＰＳリソースをリリースするステップは、前記ＳＧＳＮがＳ４  ＳＧＳＮであり、ＳＧＷ（Ｓｅｒｖｉｎｇ  Ｇａｔｅｗａｙ）に変更が発生した場合、Ｄｅｌｅｔｅ  Ｓｅｓｓｉｏｎ  Ｒｅｑｕｅｓｔメッセージを前記ＳＧＷに送信することを含み、
前記ＳＧＷは、前記Ｄｅｌｅｔｅ  Ｓｅｓｓｉｏｎ  Ｒｅｑｕｅｓｔメッセージに従って前記関連するＰＳリソースをリリースする、請求項８乃至１０何れか一項記載の方法。
【請求項１２】
サービングネットワークにハンドオーバするための方法であって、
ＭＳＣ（Ｍｏｂｉｌｅ  Ｓｗｉｔｃｈｉｎｇ  Ｃｅｎｔｅｒ）サーバにより送信される第２Ｈａｎｄｏｖｅｒ  Ｒｅｑｕｅｓｔを受信するステップであって、前記第２Ｈａｎｄｏｖｅｒ  Ｒｅｑｕｅｓｔは、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）と、ソースＳＧＳＮ（Ｓｅｒｖｉｎｇ  ＧＰＲＳ  Ｓｕｐｐｏｒｔ  Ｎｏｄｅ）を決定するための第１情報とを有し、前記第２Ｈａｎｄｏｖｅｒ  Ｒｅｑｕｅｓｔは、ＢＳＣ（Ｂａｓｅ  Ｓｔａｔｉｏｎ  Ｃｏｎｔｒｏｌｌｅｒ）／ＲＮＣ（Ｒａｄｉｏ  Ｎｅｔｗｏｒｋ  Ｃｏｎｔｒｏｌｌｅｒ）からの第１Ｈａｎｄｏｖｅｒ  Ｒｅｑｕｅｓｔに従って前記ＭＳＣサーバにより送信されるリクエストである、受信するステップと、
前記第１情報に従って前記ソースＳＧＳＮを決定するステップと、
前記ＩＭＳＩを有するＣｏｎｔｅｘｔ  Ｒｅｑｕｅｓｔメッセージを前記ソースＳＧＳＮに送信するステップと、
前記ソースＳＧＳＮにより送信されるＣｏｎｔｅｘｔ  Ｒｅｓｐｏｎｓｅメッセージを受信するステップであって、前記Ｃｏｎｔｅｘｔ  Ｒｅｓｐｏｎｓｅメッセージは、前記ＩＭＳＩに対応するＵＥのコンテクスト情報を有する、受信するステップと、
を有する方法。
【請求項１３】
当該方法は更に、
基地局により送信されたＨａｎｄｏｖｅｒ  Ｎｏｔｉｆｙメッセージを受信するステップと、
ハンドオーバの完了を通知するための通知メッセージを前記Ｈａｎｄｏｖｅｒ  Ｎｏｔｉｆｙメッセージに従って前記ソースＳＧＳＮに送信するステップであって、前記ソースＳＧＳＮは前記通知メッセージの受信後にタイマをスタートし、前記タイマが満了すると関連するＰＳリソースをリリースする、送信するステップと、
を有する、請求項１２記載の方法。
【請求項１４】
前記第１Ｈａｎｄｏｖｅｒ  Ｒｅｑｕｅｓｔは、ＰＳハンドオーバ関連情報のみを有する、請求項１２又は１３記載の方法。
【請求項１５】
サービングネットワークにハンドオーバするための方法であって、
ＢＳＣ（Ｂａｓｅ  Ｓｔａｔｉｏｎ  Ｃｏｎｔｒｏｌｌｅｒ）／ＲＮＣ（Ｒａｄｉｏ  Ｎｅｔｗｏｒｋ  Ｃｏｎｔｒｏｌｌｅｒ）により送信されたＣＳ  Ｈａｎｄｏｖｅｒ  Ｒｅｑｕｉｒｅｄメッセージを受信するステップと、
前記ＣＳ  Ｈａｎｄｏｖｅｒ  Ｒｅｑｕｉｒｅｄメッセージに従ってＣＳ  ｔｏ  ＰＳ  Ｈａｎｄｏｖｅｒ  ＲｅｑｕｅｓｔメッセージをターゲットＭＭＥ（Ｍｏｂｉｌｉｔｙ  Ｍａｎａｇｅｍｅｎｔ  Ｅｎｔｉｔｙ）に送信するステップと、
前記ＣＳ  Ｈａｎｄｏｖｅｒ  Ｒｅｑｕｉｒｅｄメッセージに従ってＣＳ  Ｈａｎｄｏｖｅｒ  Ｒｅｑｕｉｒｅｄ  Ａｃｋｎｏｗｌｅｄｇｅｍｅｎｔメッセージを前記ＢＳＣ／ＲＮＣに送信するステップであって、前記ＣＳ  Ｈａｎｄｏｖｅｒ  Ｒｅｑｕｉｒｅｄ  Ａｃｋｎｏｗｌｅｄｇｅｍｅｎｔメッセージは、前記ターゲットＭＭＥを決定するための第２情報を有し、前記ＢＳＣ／ＲＮＣは、ソースＳＧＳＮ（Ｓｅｒｖｉｎｇ  ＧＰＲＳ  Ｓｕｐｐｏｒｔ  Ｎｏｄｅ）に前記第２情報を有するＰＳ  Ｈａｎｄｏｖｅｒ  Ｒｅｑｕｉｒｅｄメッセージを送信し、これにより、前記ソースＳＧＳＮが前記ターゲットＭＭＥにＲｅｌｏｃａｔｉｏｎ  Ｒｅｑｕｅｓｔメッセージを送信することを可能にする、送信するステップと、
を有する方法。
【請求項１６】
前記ＰＳ  Ｈａｎｄｏｖｅｒ  Ｒｅｑｕｉｒｅｄメッセージは更に、ｃｏｎｃｕｒｒｅｎｔ  ＣＳ  ｔｏ  ＰＳ  Ｈａｎｄｏｖｅｒ  Ｒｅｑｕｅｓｔメッセージが存在することを示すための第３情報を有し、
前記ソースＳＧＳＮは、前記Ｒｅｌｏｃａｔｉｏｎ  Ｒｅｑｕｅｓｔメッセージを用いることによって、前記第３情報を前記ターゲットＭＭＥに送信し、これにより、前記ターゲットＭＭＥがＣＳハンドオーバとＰＳハンドオーバとを同期させることを可能にする、請求項１５記載の方法。
【請求項１７】
サービングネットワークにハンドオーバするための方法であって、
ＢＳＣ（Ｂａｓｅ  Ｓｔａｔｉｏｎ  Ｃｏｎｔｒｏｌｌｅｒ）／ＲＮＣ（Ｒａｄｉｏ  Ｎｅｔｗｏｒｋ  Ｃｏｎｔｒｏｌｌｅｒ）により送信されたＰＳ（Ｐａｃｋｅｔ  Ｓｗｉｔｃｈｅｄ  Ｄｏｍａｉｎ）  Ｈａｎｄｏｖｅｒ  Ｒｅｑｕｉｒｅｄメッセージを受信するステップと、
前記ＰＳ  Ｈａｎｄｏｖｅｒ  Ｒｅｑｕｉｒｅｄメッセージに従ってＲｅｌｏｃａｔｉｏｎ  ＲｅｑｕｅｓｔメッセージをターゲットＭＭＥ（Ｍｏｂｉｌｉｔｙ  Ｍａｎａｇｅｍｅｎｔ  Ｅｎｔｉｔｙ）に送信するステップと、
前記ＰＳ  Ｈａｎｄｏｖｅｒ  Ｒｅｑｕｉｒｅｄメッセージに従ってＰＳ  Ｈａｎｄｏｖｅｒ  Ｒｅｑｕｉｒｅｄ  Ａｃｋｎｏｗｌｅｄｇｅｍｅｎｔメッセージを前記ＢＳＣ／ＲＮＣに送信するステップであって、前記ＰＳ  Ｈａｎｄｏｖｅｒ  Ｒｅｑｕｉｒｅｄ  Ａｃｋｎｏｗｌｅｄｇｅｍｅｎｔメッセージは、前記ターゲットＭＭＥを決定するための第２情報を有し、前記ＢＳＣ／ＲＮＣは、前記第２情報を有するＣＳ  Ｈａｎｄｏｖｅｒ  ＲｅｑｕｉｒｅｄメッセージをＭＳＣ（Ｍｏｂｉｌｅ  Ｓｗｉｔｃｈｉｎｇ  Ｃｅｎｔｅｒ）サーバに送信し、これにより、前記ＭＳＣサーバがＣＳ  ｔｏ  ＰＳ  Ｈａｎｄｏｖｅｒ  Ｒｅｑｕｅｓｔメッセージを前記ターゲットＭＭＥに送信することを可能にする、送信するステップと、
を有する方法。
【請求項１８】
前記ＰＳ  Ｈａｎｄｏｖｅｒ  Ｒｅｑｕｉｒｅｄメッセージと前記Ｒｅｌｏｃａｔｉｏｎ  Ｒｅｑｕｅｓｔメッセージとは更に、ｃｏｎｃｕｒｒｅｎｔ  ＣＳ  ｔｏ  ＰＳ  Ｈａｎｄｏｖｅｒ  Ｒｅｑｕｅｓｔメッセージが存在することを示すための第３情報を有し、前記ターゲットＭＭＥは、ＣＳハンドオーバとＰＳハンドオーバとを同期させる、請求項１７記載の方法。
【請求項１９】
ＢＳＣ（Ｂａｓｅ  Ｓｔａｔｉｏｎ  Ｃｏｎｔｒｏｌｌｅｒ）／ＲＮＣ（Ｒａｄｉｏ  Ｎｅｔｗｏｒｋ  Ｃｏｎｔｒｏｌｌｅｒ）により送信された第１Ｈａｎｄｏｖｅｒ  Ｒｅｑｕｅｓｔを受信するよう構成される第１受信モジュールと、
前記第１受信モジュールにより受信された前記第１Ｈａｎｄｏｖｅｒ  Ｒｅｑｕｅｓｔに従って、第２Ｈａｎｄｏｖｅｒ  ＲｅｑｕｅｓｔをターゲットＭＭＥ（Ｍｏｂｉｌｉｔｙ  Ｍａｎａｇｅｍｅｎｔ  Ｅｎｔｉｔｙ）に送信するよう構成される送信モジュールであって、前記第２Ｈａｎｄｏｖｅｒ  Ｒｅｑｕｅｓｔは、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）と、ソースＳＧＳＮ（Ｓｅｒｖｉｎｇ  ＧＰＲＳ  Ｓｕｐｐｏｒｔ  Ｎｏｄｅ）を決定するための第１情報とを有し、前記ターゲットＭＭＥは、前記ＩＭＳＩを有するＣｏｎｔｅｘｔ  Ｒｅｑｕｅｓｔメッセージを前記ソースＳＧＳＮに送信し、前記ＩＭＳＩに対応し、前記ソースＳＧＳＮにより送信されるＵＥのコンテクスト情報を受信する、送信モジュールと、
を有するＭＳＣ（Ｍｏｂｉｌｅ  Ｓｗｉｔｃｈｉｎｇ  Ｃｅｎｔｅｒ）サーバ。
【請求項２０】
当該ＭＳＣサーバは更に、
前記ターゲットＭＭＥにより送信されたＨａｎｄｏｖｅｒ  Ｃｏｍｐｌｅｔｅメッセージを受信するよう構成される第２受信モジュールと、
関連するＣＳ（Ｃｉｒｃｕｉｔ  Ｓｗｉｔｃｈｅｄ）ドメインリソースをリリースし、前記第２受信モジュールにより受信されたＨａｎｄｏｖｅｒ  Ｃｏｍｐｌｅｔｅメッセージに従ってベアラリリースメッセージを前記ＲＮＣに送信するよう構成されるリリーシングモジュールであって、前記ＲＮＣは、タイマが満了すると、関連するＰＳリソースをリリースし、前記タイマは、前記ＲＮＣが前記第１Ｈａｎｄｏｖｅｒ  Ｒｅｑｕｅｓｔを送信すると前記ＲＮＣによりスタートされる、リリーシングモジュールと、
を有する、請求項１９記載のＭＳＣサーバ。
【請求項２１】
前記第１受信モジュールにより受信された第１Ｈａｎｄｏｖｅｒ  Ｒｅｑｕｅｓｔは、ＰＳハンドオーバ関連情報のみを有する、請求項１９又は２０記載のＭＳＣサーバ。
【請求項２２】
前記第１受信モジュールにより受信される第１Ｈａｎｄｏｖｅｒ  Ｒｅｑｕｅｓｔは、前記サービングネットワークがＰＳハンドオーバとＣＳハンドオーバとをサポートし、ＵＥがＣＳ及びＰＳ接続状態であるとき、前記ＢＳＣ／ＲＮＣにより送信されるハンドオーバを要求するための一意的なメッセージである、請求項１９乃至２１何れか一項記載のＭＳＣサーバ。
【請求項２３】
前記サービングネットワークがＨＳＰＡ（Ｈｉｇｈ  Ｓｐｅｅｄ  Ｐａｃｋｅｔ  Ａｃｃｅｓｓ）ネットワークであるとき、前記第１受信モジュールにより受信される第１Ｈａｎｄｏｖｅｒ  Ｒｅｑｕｅｓｔは、前記ＲＮＣにより送信されるＲｅｌｏｃａｔｉｏｎ  Ｒｅｑｕｉｒｅｄメッセージ又は前記ＢＳＣにより送信されるＣＳ  Ｈａｎｄｏｖｅｒ  Ｒｅｑｕｉｒｅｄメッセージであり、
前記Ｒｅｌｏｃａｔｉｏｎ  Ｒｅｑｕｉｒｅｄメッセージ又は前記ＣＳ  Ｈａｎｄｏｖｅｒ  Ｒｅｑｕｉｒｅｄメッセージは、ソースＲＮＣからターゲットＲＮＣへのトランスペアレントコンテナを有し、
前記ソースＲＮＣからターゲットＲＮＣへのトランスペアレントコンテナのＩｕインスタンスの数量は１に設定され、
前記ソースＲＮＣからターゲットＲＮＣへのトランスペアレントコンテナは、ＰＳハンドオーバ関連情報のみを有する、請求項１９乃至２２何れか一項記載のＭＳＣサーバ。
【請求項２４】
前記サービングネットワークがＬＴＥ（Ｌｏｎｇ  Ｔｅｒｍ  Ｅｖｏｌｕｔｉｏｎ）ネットワークであるとき、前記第１受信モジュールにより受信される第１Ｈａｎｄｏｖｅｒ  Ｒｅｑｕｅｓｔは、前記ＲＮＣにより送信されるＲｅｌｏｃａｔｉｏｎ  Ｒｅｑｕｉｒｅｄメッセージ又は前記ＢＳＣにより送信されるＣＳ  Ｈａｎｄｏｖｅｒ  Ｒｅｑｕｉｒｅｄメッセージであり、
前記Ｒｅｌｏｃａｔｉｏｎ  Ｒｅｑｕｉｒｅｄメッセージ又は前記ＣＳ  Ｈａｎｄｏｖｅｒ  Ｒｅｑｕｉｒｅｄメッセージは、ソース基地局からターゲット基地局へのトランスペアレントコンテナを有し、前記ソース基地局からターゲット基地局へのトランスペアレントコンテナは、ＰＳハンドオーバ関連情報のみを有する、請求項１９乃至２２何れか一項記載のＭＳＣサーバ。
【請求項２５】
ターゲットＭＭＥ（Ｍｏｂｉｌｉｔｙ  Ｍａｎａｇｅｍｅｎｔ  Ｅｎｔｉｔｙ）により送信されたＣｏｎｔｅｘｔ  Ｒｅｑｕｅｓｔメッセージを受信するよう構成される第１受信モジュールであって、前記Ｃｏｎｔｅｘｔ  ＲｅｑｕｅｓｔメッセージはＩＭＳＩ（Ｉｎｔｅｒｎａｔｉｏｎｌａ  Ｍｏｂｉｌｅ  Ｓｕｂｓｃｒｉｂｅｒ  Ｉｄｅｎｔｉｔｙ）を有し、前記Ｃｏｎｔｅｘｔ  Ｒｅｑｕｅｓｔメッセージは、ＭＳＣ（Ｍｏｂｉｌｅ  Ｓｗｉｔｃｈｉｎｇ  Ｃｅｎｔｅｒ）サーバからのＨａｎｄｏｖｅｒ  Ｒｅｑｕｅｓｔに従って前記ターゲットＭＭＥにより送信されるメッセージであり、前記Ｈａｎｄｏｖｅｒ  Ｒｅｑｕｅｓｔは、前記ＩＭＳＩとＳＧＳＮ（Ｓｅｒｖｉｎｇ  ＧＰＲＳ  Ｓｕｐｐｏｒｔ  Ｎｏｄｅ）を決定するための第１情報とを有する、第１受信モジュールと、
前記第１受信モジュールにより受信された前記Ｃｏｎｔｅｘｔ  Ｒｅｑｕｅｓｔメッセージに従ってＣｏｎｔｅｘｔ  Ｒｅｓｐｏｎｓｅメッセージを前記ターゲットＭＭＥに送信するよう構成される送信モジュールであって、前記Ｃｏｎｔｅｘｔ  Ｒｅｓｐｏｎｓｅメッセージは前記ＩＭＳＩに対応するＵＥのコンテクスト情報を有する、送信モジュールと、
を有するＳＧＳＮ。
【請求項２６】
当該ＳＧＳＮは更に、
前記ターゲットＭＭＥにより送信されたハンドオーバの完了を通知するための通知メッセージを受信するよう構成される第２受信モジュールと、
タイマをスタートし、前記タイマが満了すると関連するＰＳリソースをリリースするよう構成されるリリーシングモジュールと、
を有する、請求項２５記載のＳＧＳＮ。
【請求項２７】
前記第２受信モジュールにより受信される通知メッセージは、前記コンテクスト情報の受信を確認するため、基地局からのＨａｎｄｏｖｅｒ  Ｎｏｔｉｆｙメッセージに従って前記ターゲットＭＭＥにより送信されるメッセージである、請求項２６記載のＳＧＳＮ。
【請求項２８】
前記リリーシングモジュールは、
前記タイマが満了すると当該ＳＧＳＮ上の関連するＰＳリソースをリリースするよう構成されるリリーシングユニットと、
ＢＳＣ（Ｂａｓｅ  Ｓｔａｔｉｏｎ  Ｃｏｎｔｏｒｌｌｅｒ）／ＲＮＣ（Ｒａｄｉｏ  Ｎｅｔｗｏｒｋ  Ｃｏｎｔｒｏｌｌｅｒ）にＲｅｌｅａｓｅ  Ｒｅｓｏｕｒｃｅメッセージを送信するよう構成される第１送信ユニットであって、前記ＢＳＣ／ＲＮＣは、前記Ｒｅｌｅａｓｅ  Ｒｅｓｏｕｒｃｅメッセージに従って関連するＰＳリソースをリリースする、第１送信ユニットと、
を有する、請求項２６又は２７記載のＳＧＳＮ。
【請求項２９】
前記リリーシングモジュールは更に、当該ＳＧＳＮがＳ４  ＳＧＳＮであり、ＳＧＷ（Ｓｅｒｖｉｎｇ  Ｇａｔｅｗａｙ）に対して変更が行われると、Ｄｅｌｅｔｅ  Ｓｅｓｓｉｏｎ  Ｒｅｑｕｅｓｔメッセージを前記ＳＧＷに送信するよう構成される第２送信ユニットであって、前記ＳＧＷは、前記Ｄｅｌｅｔｅ  Ｓｅｓｓｉｏｎ  Ｒｅｑｕｅｓｔメッセージに従って前記関連するＰＳリソースをリリースする、第２送信ユニットを有する、請求項２６乃至２８何れか一項記載のＳＧＳＮ。
【請求項３０】
ＭＳＣ（Ｍｏｂｉｌｉｔｙ  Ｓｗｉｔｃｈｉｎｇ  Ｃｅｎｔｅｒ）サーバにより送信される第２Ｈａｎｄｏｖｅｒ  Ｒｅｑｕｅｓｔを受信するよう構成される第１受信モジュールであって、前記第２Ｈａｎｄｏｖｅｒ  Ｒｅｑｕｅｓｔは、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）と、ソースＳＧＳＮ（Ｓｅｒｖｉｎｇ  ＧＰＲＳ  Ｓｕｐｐｏｒｔ  Ｎｏｄｅ）を決定するための第１情報とを有し、前記第２Ｈａｎｄｏｖｅｒ  Ｒｅｑｕｅｓｔは、ＢＳＣ（Ｂａｓｅ  Ｓｔａｔｉｏｎ  Ｃｏｎｔｒｏｌｌｅｒ）／ＲＮＣ（Ｒａｄｉｏ  Ｎｅｔｗｏｒｋ  Ｃｏｎｔｒｏｌｌｅｒ）からの第１Ｈａｎｄｏｖｅｒ  Ｒｅｑｕｅｓｔに従って前記ＭＳＣサーバにより送信されるリクエストである、第１受信モジュールと、
前記第１受信モジュールにより受信された前記第２Ｈａｎｄｏｖｅｒ  Ｒｅｑｕｅｓｔに含まれる前記第１情報に従って前記ソースＳＧＳＮを決定するよう構成される決定モジュールと、
前記決定モジュールにより決定された前記ソースＳＧＳＮに前記ＩＭＳＩを有するＣｏｎｔｅｘｔ  Ｒｅｑｕｅｓｔメッセージを送信するよう構成される第１送信モジュールと、
前記ソースＳＧＳＮにより送信されるＣｏｎｔｅｘｔ  Ｒｅｓｐｏｎｓｅメッセージを受信するよう構成される第２受信モジュールであって、前記Ｃｏｎｔｅｘｔ  Ｒｅｓｐｏｎｓｅメッセージは、前記ＩＭＳＩに対応するＵＥのコンテクスト情報を有する、第２受信モジュールと、
を有するＭＭＥ（Ｍｏｂｉｌｉｔｙ  Ｍａｎａｇｅｍｅｎｔ  Ｅｎｔｉｔｙ）。
【請求項３１】
当該ＭＭＥは更に、
基地局により送信されたＨａｎｄｏｖｅｒ  Ｎｏｔｉｆｙメッセージを受信するよう構成される第３受信モジュールと、
ハンドオーバの完了を通知するための通知メッセージを前記第３受信モジュールにより受信されたＨａｎｄｏｖｅｒ  Ｎｏｔｉｆｙメッセージに従って前記ソースＳＧＳＮに送信するよう構成される第２送信モジュールであって、前記ソースＳＧＳＮは、前記通知メッセージの受信後にタイマをスタートし、前記タイマが満了すると関連するＰＳリソースをリリースする、第２送信モジュールと、
を有する、請求項３０記載のＭＭＥ。
【請求項３２】
前記第１Ｈａｎｄｏｖｅｒ  Ｒｅｑｕｅｓｔは、ＰＳハンドオーバ関連情報のみを有する、請求項３０又は３１記載のＭＭＥ。
【請求項３３】
サービングネットワークがＰＳハンドオーバとＣＳハンドオーバとをサポートし、ＵＥがＣＳ及びＰＳ接続状態にあるとき、ＭＳＣ（Ｍｏｂｉｌｅ  Ｓｗｉｔｃｈｉｎｇ  Ｃｅｎｔｅｒ）にハンドオーバを要求するための一意的な第１Ｈａｎｄｏｖｅｒ  ＲｅｑｕｅｓｔをＭＳＣサーバに送信するよう構成される送信モジュールを有するＢＳＣ（Ｂａｓｅ  Ｓｔａｔｉｏｎ  Ｃｏｎｔｒｏｌｌｅｒ）／ＲＮＣ（Ｒａｄｉｏ  Ｎｅｔｗｏｒｋ  Ｃｏｎｔｒｏｌｌｅｒ）。
【請求項３４】
前記サービングネットワークがＬＴＥ（Ｌｏｎｇ  Ｔｅｒｍ  Ｅｖｏｌｕｔｉｏｎ）ネットワークであるとき、前記送信モジュールにより送信される第１Ｈａｎｄｏｖｅｒ  Ｒｅｑｕｅｓｔが、当該ＲＮＣにより送信されるＲｅｌｏｃａｔｉｏｎ  Ｒｅｑｕｉｒｅｄメッセージ又は当該ＢＳＣにより送信されるＣＳ  Ｈａｎｄｏｖｅｒ  Ｒｅｑｕｉｒｅｄメッセージであり、
前記Ｒｅｌｏｃａｔｉｏｎ  Ｒｅｑｕｉｒｅｄメッセージ又は前記ＣＳ  Ｈａｎｄｏｖｅｒ  Ｒｅｑｕｉｒｅｄメッセージは、ソース基地局からターゲット基地局へのトランスペアレントコンテナを有し、前記ソース基地局からターゲット基地局へのトランスペアレントコンテナは、ＰＳハンドオーバ関連情報のみを有する、請求項３３記載のＢＳＣ／ＲＮＣ。
【請求項３５】
ＢＳＣ（Ｂａｓｅ  Ｓｔａｔｉｏｎ  Ｃｏｎｔｏｌｌｅｒ）／ＲＮＣ（Ｒａｄｉｏ  Ｎｅｔｗｏｒｋ  Ｃｏｎｔｒｏｌｌｅｒ）により送信されたＣＳ  Ｈａｎｄｏｖｅｒ  Ｒｅｑｕｉｒｅｄメッセージを受信するよう構成される受信モジュールと、
前記受信モジュールにより受信された前記ＣＳ  Ｈａｎｄｏｖｅｒ  Ｒｅｑｕｉｒｅｄメッセージに従って、ＣＳ  ｔｏ  ＰＳ  Ｈａｎｄｏｖｅｒ  ＲｅｑｕｅｓｔメッセージをターゲットＭＭＥ（Ｍｏｂｉｌｉｔｙ  Ｍａｎａｇｅｍｅｎｔ  Ｅｎｔｉｔｙ）に送信するよう構成される第１送信モジュールと、
前記受信モジュールにより受信される前記ＣＳ  Ｈａｎｄｏｖｅｒ  Ｒｅｑｕｉｒｅｄメッセージに従って、ＣＳ  Ｈａｎｄｏｖｅｒ  Ｒｅｑｕｉｒｅｄ  Ａｃｋｎｏｗｌｅｄｇｅｍｅｎｔメッセージを前記ＢＳＣ／ＲＮＣに送信するよう構成される第２送信モジュールであって、前記ＣＳ  Ｈａｎｄｏｖｅｒ  Ｒｅｑｕｉｒｅｄ  Ａｃｋｎｏｗｌｅｄｇｅｍｅｎｔメッセージは、前記ターゲットＭＭＥを決定するための第２情報を有し、前記ＢＳＣ／ＲＮＣは、ソースＳＧＳＮ（Ｓｅｒｖｉｎｇ  ＧＰＲＳ  Ｓｕｐｐｏｒｔ  Ｎｏｄｅ）に前記第２情報を有するＰＳ  Ｈａｎｄｏｖｅｒ  Ｒｅｑｕｉｒｅｄメッセージを送信し、これにより、前記ソースＳＧＳＮがＲｅｌｏｃａｔｉｏｎ  Ｒｅｑｕｅｓｔメッセージを前記ターゲットＭＭＥに送信することを可能にする、第２送信モジュールと、
を有するＭＳＣ（Ｍｏｂｉｌｅ  Ｓｗｉｔｃｈｉｎｇ  Ｃｅｎｔｅｒ）サーバ。
【請求項３６】
前記ＰＳ  Ｈａｎｄｏｖｅｒ  Ｒｅｑｕｉｒｅｄメッセージは更に、ｃｏｎｃｕｒｒｅｎｔ  ＣＳ  ｔｏ  ＰＳ  Ｈａｎｄｏｖｅｒ  Ｒｅｑｕｅｓｔメッセージが存在することを示すための第３情報を有し、
前記ソースＳＧＳＮは、前記Ｒｅｌｏｃａｔｉｏｎ  Ｒｅｑｕｅｓｔメッセージを用いることによって、前記第３情報を前記ターゲットＭＭＥに送信し、これにより、前記ターゲットＭＭＥがＣＳハンドオーバとＰＳハンドオーバとに同期することを可能にする、請求項３５記載のＭＳＣサーバ。
【請求項３７】
ＢＳＣ（Ｂａｓｅ  Ｓｔａｔｉｏｎ  Ｃｏｎｔｒｏｌｌｅｒ）／ＲＮＣ（Ｒａｄｉｏ  Ｎｅｔｗｏｒｋ  Ｃｏｎｔｒｏｌｌｅｒ）により送信されたＰＳ  Ｈａｎｄｏｖｅｒ  Ｒｅｑｕｉｒｅｄメッセージを受信するよう構成される受信モジュールと、
前記受信モジュールにより受信された前記ＰＳ  Ｈａｎｄｏｖｅｒ  Ｒｅｑｕｉｒｅｄメッセージに従って、Ｒｅｌｏｃａｔｉｏｎ  ＲｅｑｕｅｓｔメッセージをターゲットＭＭＥ（Ｍｏｂｉｌｉｔｙ  Ｍａｎａｇｅｍｅｎｔ  Ｅｎｔｉｔｙ）に送信するよう構成される第１送信モジュールと、
前記受信モジュールにより受信された前記ＰＳ  Ｈａｎｄｏｖｅｒ  Ｒｅｑｕｉｒｅｄメッセージに従って、ＰＳ  Ｈａｎｄｏｖｅｒ  Ｒｅｑｕｉｒｅｄ  Ａｃｋｎｏｗｌｅｄｇｅｍｅｎｔメッセージを前記ＢＳＣ／ＲＮＣに送信するよう構成される第２送信モジュールであって、前記ＰＳ  Ｈａｎｄｏｖｅｒ  Ｒｅｑｕｉｒｅｄ  Ａｃｋｎｏｗｌｅｄｇｅｍｅｎｔメッセージは、前記ターゲットＭＭＥを決定するための第２情報を有し、前記ＢＳＣ／ＲＮＣは、ＭＳＣ（Ｍｏｂｉｌｅ  Ｓｗｉｔｃｈｉｎｇ  Ｃｅｎｔｅｒ）サーバに前記第２情報を有するＣＳ  Ｈａｎｄｏｖｅｒ  Ｒｅｑｕｉｒｅｄメッセージを送信し、これにより、前記ＭＳＣサーバが前記ターゲットＭＭＥにＣＳ  ｔｏ  ＰＳ  Ｈａｎｄｏｖｅｒ  Ｒｅｑｕｅｓｔメッセージを送信することを可能にする、第２送信モジュールと、
を有するＳＧＳＮ。
【請求項３８】
前記第１送信モジュールにより送信されるＲｅｌｏｃａｔｉｏｎ  Ｒｅｑｕｅｓｔメッセージと、前記第２送信モジュールにより送信されるＰＳ  Ｈａｎｄｏｖｅｒ  Ｒｅｑｕｉｒｅｄメッセージとは更に、ｃｏｎｃｕｒｒｅｎｔ  ＣＳ  ｔｏ  ＰＳ  Ｈａｎｄｏｖｅｒ  Ｒｅｑｕｅｓｔメッセージが存在することを示すための第３情報を有し、前記ターゲットＭＭＥは、ＣＳハンドオーバとＰＳハンドオーバとを同期させる、請求項３７記載のＳＧＳＮ。
【発明の詳細な説明】
【技術分野】
【０００１】
本出願は、参照することによりその全体がここに援用される２０１１年９月８日に中国特許庁に出願された中国特許出願第２０１１１０２６５４３１．７号“ＭＥＴＨＯＤ  ＡＮＤ  ＤＥＶＩＣＥ  ＦＯＲ  ＨＡＮＤＯＶＥＲ  ＴＯ  ＳＥＲＶＩＮＧ  ＮＥＴＷＯＲＫ”に対する優先権を主張する。
【０００２】
本発明は、通信分野に関し、特に通信分野におけるサービングネットワークにハンドオーバするための方法及び装置であって、当該装置はモバイルスイッチングセンタＭＳＣサーバ、サービングＧＰＲＳサポートノードＳＧＳＮ、ターゲットモビリティマネージメントエンティティＭＭＥ及び基地局コントローラＢＳＣ／無線ネットワークコントローラＲＮＣを有する装置に関する。
【背景技術】
【０００３】
第２世代モバイル通信技術（“２Ｇ”として略称される第２世代）又は第３世代モバイル通信技術（“３Ｇ”と略称される第３世代）ネットワークが、何年もの間に配置された後に全体カバレッジ状況を生成してきた。一方、ネットワーク技術の発達によって、ネットワーク構築の初期段階においてＬＴＥ（Ｌｏｎｇ  Ｔｅｒｍ  Ｅｖｏｌｕｔｉｏｎ）ネットワークなどのＰＳ（Ｐａｃｋｅｔ  Ｓｗｉｔｃｈｅｄ）ドメインのみを提供するＰＳドメインネットワークが、徐々にある都市エリア及び電話トラフィックホットスポットエリアをカバーしてきた。従って、現在の通信ネットワークでは、ＰＳドメインネットワークは２Ｇ／３Ｇネットワークと共に共存する。
【０００４】
異なる通信ネットワークに対応して、異なる搬送機構が音声サービスのために利用可能である。具体的には、２Ｇ／３Ｇネットワークでは、音声呼はＣＳ（Ｃｉｒｃｕｉｔ  Ｓｗｉｔｃｈｅｄ）ドメインにより提供されるセッションサービスをサポートする一方、ＰＳドメインネットワークでは、音声呼は、ＩＰマルチメディアサブシステム（ＩＭＳ）がサービスのクオリティを保証するＶｏＩＰ（Ｖｏｉｃｅ  ｏｖｅｒ  Ｉｎｔｅｒｎｅｔ  Ｐｒｏｔｏｃｏｌ）としても参照されるＰＳドメインにより提供されるセッションサービスをサポートする。
【０００５】
ＭＳＣサーバ及びＳＧＳＮが同一のＭＭＥとやりとりすることを可能にする技術的手段が所望され、これにより、具体的にはＧＳＭ（登録商標）／ＵＭＴＳネットワークであるＧ／ＵネットワークのＣＳドメインからＬＴＥ／ＨＳＰＡ（Ｈｉｇｈ  Ｓｐｅｅｄ  Ｕｐｌｉｎｋ  Ｐａｃｋｅｔ  Ａｃｃｅｓｓ）ネットワークのＰＳドメインに音声サービスをスイッチする。
【発明の概要】
【０００６】
本発明の実施例は、サービングネットワークにハンドオーバするための方法、ＭＳＣサーバ、ＳＧＳＮ、ＭＭＥ及びＢＳＣ／ＲＮＣを提供し、これにより、ＭＳＣサーバとＳＧＳＮとが同一のＭＭＥとやりとりすることを可能にし、ＣＳドメインからＰＳドメインに音声サービスをスイッチする。
【０００７】
一態様では、本発明は、サービングネットワークにハンドオーバするための方法であって、ＢＳＣ（Ｂａｓｅ  Ｓｔａｔｉｏｎ  Ｃｏｎｔｒｏｌｌｅｒ）／ＲＮＣ（Ｒａｄｉｏ  Ｎｅｔｗｏｒｋ  Ｃｏｎｔｒｏｌｌｅｒ）により送信される第１Ｈａｎｄｏｖｅｒ  Ｒｅｑｕｅｓｔを受信するステップと、前記第１Ｈａｎｄｏｖｅｒ  Ｒｅｑｕｅｓｔに従ってターゲットＭＭＥ（Ｍｏｂｉｌｉｔｙ  Ｍａｎｇｅｍｅｎｔ  Ｅｎｔｉｔｙ）に第２Ｈａｎｄｏｖｅｒ  Ｒｅｑｕｅｓｔを送信するステップであって、前記第２Ｈａｎｄｏｖｅｒ  Ｒｅｑｕｅｓｔは、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）と、ソースＳＧＳＮ（Ｓｅｒｖｉｎｇ  ＧＰＲＳ  Ｓｕｐｐｏｒｔ  Ｎｏｄｅ）を決定するための第１情報とを有し、前記ターゲットＭＭＥは、前記ＩＭＳＩを有するＣｏｎｔｅｘｔ  Ｒｅｑｕｅｓｔメッセージを前記ソースＳＧＳＮに送信し、前記ソースＳＧＳＮにより送信される前記ＩＭＳＩに対応するユーザ装置（ＵＥ）のコンテクスト情報を受信する、送信するステップと、を有する方法を提供する。
【０００８】
他の態様では、本発明は、サービングネットワークにハンドオーバするための方法であって、ターゲットＭＭＥ（Ｍｏｂｉｌｉｔｙ  Ｍａｎａｇｅｍｅｎｔ  Ｅｎｔｉｔｙ）により送信されたＣｏｎｔｅｘｔ  Ｒｅｑｕｅｓｔメッセージを受信するステップであって、前記Ｃｏｎｔｅｘｔ  ＲｅｑｕｅｓｔメッセージはＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）を有し、前記Ｃｏｎｔｅｘｔ  Ｒｅｑｕｅｓｔメッセージは、ＭＳＣ（Ｍｏｂｉｌｅ  Ｓｗｉｔｃｈｉｎｇ  Ｃｅｎｔｅｒ）サーバからのＨａｎｄｏｖｅｒ  Ｒｅｑｅｕｓｔに従って前記ターゲットＭＭＥにより送信されるメッセージであり、前記Ｈａｎｄｏｖｅｒ  Ｒｅｑｕｅｓｔは、前記ＩＭＳＩとソースＳＧＳＮ（Ｓｅｒｖｉｎｇ  ＧＰＲＳ  Ｓｕｐｐｏｒｔ  Ｎｏｄｅ）を決定するための第１情報とを有する、受信するステップと、前記Ｃｏｎｔｅｘｔ  Ｒｅｑｕｅｓｔメッセージに従って前記ターゲットＭＭＥにＣｏｎｔｅｘｔ  Ｒｅｓｐｏｎｓｅメッセージを送信するステップであって、前記Ｃｏｎｔｅｘｔ  Ｒｅｓｐｏｎｓｅメッセージは、前記ＩＭＳＩに対応するＵＥのコンテクスト情報を有する、送信するステップと、を有する方法を提供する。
【０００９】
他の態様では、本発明は、サービングネットワークにハンドオーバするための方法であって、ＭＳＣ（Ｍｏｂｉｌｅ  Ｓｗｉｔｃｈｉｎｇ  Ｃｅｎｔｅｒ）サーバにより送信される第２Ｈａｎｄｏｖｅｒ  Ｒｅｑｕｅｓｔを受信するステップであって、前記第２Ｈａｎｄｏｖｅｒ  Ｒｅｑｕｅｓｔは、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）と、ソースＳＧＳＮ（Ｓｅｒｖｉｎｇ  ＧＰＲＳ  Ｓｕｐｐｏｒｔ  Ｎｏｄｅ）を決定するための第１情報とを有し、前記第２Ｈａｎｄｏｖｅｒ  Ｒｅｑｕｅｓｔは、ＢＳＣ（Ｂａｓｅ  Ｓｔａｔｉｏｎ  Ｃｏｎｔｒｏｌｌｅｒ）／ＲＮＣ（Ｒａｄｉｏ  Ｎｅｔｗｏｒｋ  Ｃｏｎｔｒｏｌｌｅｒ）からの第１Ｈａｎｄｏｖｅｒ  Ｒｅｑｕｅｓｔに従って前記ＭＳＣサーバにより送信されるリクエストである、受信するステップと、前記第１情報に従って前記ソースＳＧＳＮを決定するステップと、前記ＩＭＳＩを有するＣｏｎｔｅｘｔ  Ｒｅｑｕｅｓｔメッセージを前記ソースＳＧＳＮに送信するステップと、前記ソースＳＧＳＮにより送信されるＣｏｎｔｅｘｔ  Ｒｅｓｐｏｎｓｅメッセージを受信するステップであって、前記Ｃｏｎｔｅｘｔ  Ｒｅｓｐｏｎｓｅメッセージは、前記ＩＭＳＩに対応するＵＥのコンテクスト情報を有する、受信するステップと、を有する方法を提供する。
【００１０】
他の態様では、本発明は、サービングネットワークにハンドオーバするための方法であって、ＢＳＣ（Ｂａｓｅ  Ｓｔａｔｉｏｎ  Ｃｏｎｔｒｏｌｌｅｒ）／ＲＮＣ（Ｒａｄｉｏ  Ｎｅｔｗｏｒｋ  Ｃｏｎｔｒｏｌｌｅｒ）により送信されたＣＳ  Ｈａｎｄｏｖｅｒ  Ｒｅｑｕｉｒｅｄメッセージを受信するステップと、前記ＣＳ  Ｈａｎｄｏｖｅｒ  Ｒｅｑｕｉｒｅｄメッセージに従ってＣＳ  ｔｏ  ＰＳ  Ｈａｎｄｏｖｅｒ  ＲｅｑｕｅｓｔメッセージをターゲットＭＭＥ（Ｍｏｂｉｌｉｔｙ  Ｍａｎａｇｅｍｅｎｔ  Ｅｎｔｉｔｙ）に送信するステップと、前記ＣＳ  Ｈａｎｄｏｖｅｒ  Ｒｅｑｕｉｒｅｄメッセージに従ってＣＳ  Ｈａｎｄｏｖｅｒ  Ｒｅｑｕｉｒｅｄ  Ａｃｋｎｏｗｌｅｄｇｅｍｅｎｔメッセージを前記ＢＳＣ／ＲＮＣに送信するステップであって、前記ＣＳ  Ｈａｎｄｏｖｅｒ  Ｒｅｑｕｉｒｅｄ  Ａｃｋｎｏｗｌｅｄｇｅｍｅｎｔメッセージは、前記ターゲットＭＭＥを決定するための第２情報を有し、前記ＢＳＣ／ＲＮＣは、ソースＳＧＳＮ（Ｓｅｒｖｉｎｇ  ＧＰＲＳ  Ｓｕｐｐｏｒｔ  Ｎｏｄｅ）に前記第２情報を有するＰＳ  Ｈａｎｄｏｖｅｒ  Ｒｅｑｕｉｒｅｄメッセージを送信し、これにより、前記ソースＳＧＳＮが前記ターゲットＭＭＥにＲｅｌｏｃａｔｉｏｎ  Ｒｅｑｕｅｓｔメッセージを送信することを可能にする、送信するステップと、を有する方法を提供する。
【００１１】
他の態様では、本発明は、サービングネットワークにハンドオーバするための方法であって、ＢＳＣ（Ｂａｓｅ  Ｓｔａｔｉｏｎ  Ｃｏｎｔｒｏｌｌｅｒ）／ＲＮＣ（Ｒａｄｉｏ  Ｎｅｔｗｏｒｋ  Ｃｏｎｔｒｏｌｌｅｒ）により送信されたＰＳ（Ｐａｃｋｅｔ  Ｓｗｉｔｃｈｅｄ  Ｄｏｍａｉｎ）  Ｈａｎｄｏｖｅｒ  Ｒｅｑｕｉｒｅｄメッセージを受信するステップと、前記ＰＳ  Ｈａｎｄｏｖｅｒ  Ｒｅｑｕｉｒｅｄメッセージに従ってＲｅｌｏｃａｔｉｏｎ  ＲｅｑｕｅｓｔメッセージをターゲットＭＭＥ（Ｍｏｂｉｌｉｔｙ  Ｍａｎａｇｅｍｅｎｔ  Ｅｎｔｉｔｙ）に送信するステップと、前記ＰＳ  Ｈａｎｄｏｖｅｒ  Ｒｅｑｕｉｒｅｄメッセージに従ってＰＳ  Ｈａｎｄｏｖｅｒ  Ｒｅｑｕｉｒｅｄ  Ａｃｋｎｏｗｌｅｄｇｅｍｅｎｔメッセージを前記ＢＳＣ／ＲＮＣに送信するステップであって、前記ＰＳ  Ｈａｎｄｏｖｅｒ  Ｒｅｑｕｉｒｅｄ  Ａｃｋｎｏｗｌｅｄｇｅｍｅｎｔメッセージは、前記ターゲットＭＭＥを決定するための第２情報を有し、前記ＢＳＣ／ＲＮＣは、前記第２情報を有するＣＳ  Ｈａｎｄｏｖｅｒ  ＲｅｑｕｉｒｅｄメッセージをＭＳＣ（Ｍｏｂｉｌｅ  Ｓｗｉｔｃｈｉｎｇ  Ｃｅｎｔｅｒ）サーバに送信し、これにより、前記ＭＳＣサーバがＣＳ  ｔｏ  ＰＳ  Ｈａｎｄｏｖｅｒ  Ｒｅｑｕｅｓｔメッセージを前記ターゲットＭＭＥに送信することを可能にする、送信するステップと、を有する方法を提供する。
【００１２】
他の態様では、本発明は、ＢＳＣ（Ｂａｓｅ  Ｓｔａｔｉｏｎ  Ｃｏｎｔｒｏｌｌｅｒ）／ＲＮＣ（Ｒａｄｉｏ  Ｎｅｔｗｏｒｋ  Ｃｏｎｔｒｏｌｌｅｒ）により送信された第１Ｈａｎｄｏｖｅｒ  Ｒｅｑｕｅｓｔを受信するよう構成される第１受信モジュールと、前記第１受信モジュールにより受信された前記第１Ｈａｎｄｏｖｅｒ  Ｒｅｑｕｅｓｔに従って、第２Ｈａｎｄｏｖｅｒ  ＲｅｑｕｅｓｔをターゲットＭＭＥ（Ｍｏｂｉｌｉｔｙ  Ｍａｎａｇｅｍｅｎｔ  Ｅｎｔｉｔｙ）に送信するよう構成される送信モジュールであって、前記第２Ｈａｎｄｏｖｅｒ  Ｒｅｑｕｅｓｔは、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）と、ソースＳＧＳＮ（Ｓｅｒｖｉｎｇ  ＧＰＲＳ  Ｓｕｐｐｏｒｔ  Ｎｏｄｅ）を決定するための第１情報とを有し、前記ターゲットＭＭＥは、前記ＩＭＳＩを有するＣｏｎｔｅｘｔ  Ｒｅｑｕｅｓｔメッセージを前記ソースＳＧＳＮに送信し、前記ＩＭＳＩに対応し、前記ソースＳＧＳＮにより送信されるＵＥのコンテクスト情報を受信する、送信モジュールと、を有するＭＳＣ（Ｍｏｂｉｌｅ  Ｓｗｉｔｃｈｉｎｇ  Ｃｅｎｔｅｒ）サーバを提供する。
【００１３】
他の態様では、本発明は、ターゲットＭＭＥ（Ｍｏｂｉｌｉｔｙ  Ｍａｎａｇｅｍｅｎｔ  Ｅｎｔｉｔｙ）により送信されたＣｏｎｔｅｘｔ  Ｒｅｑｕｅｓｔメッセージを受信するよう構成される第１受信モジュールであって、前記Ｃｏｎｔｅｘｔ  ＲｅｑｕｅｓｔメッセージはＩＭＳＩ（Ｉｎｔｅｒｎａｔｉｏｎｌａ  Ｍｏｂｉｌｅ  Ｓｕｂｓｃｒｉｂｅｒ  Ｉｄｅｎｔｉｔｙ）を有し、前記Ｃｏｎｔｅｘｔ  Ｒｅｑｕｅｓｔメッセージは、ＭＳＣ（Ｍｏｂｉｌｅ  Ｓｗｉｔｃｈｉｎｇ  Ｃｅｎｔｅｒ）サーバからのＨａｎｄｏｖｅｒ  Ｒｅｑｕｅｓｔに従って前記ターゲットＭＭＥにより送信されるメッセージであり、前記Ｈａｎｄｏｖｅｒ  Ｒｅｑｕｅｓｔは、前記ＩＭＳＩとＳＧＳＮ（Ｓｅｒｖｉｎｇ  ＧＰＲＳ  Ｓｕｐｐｏｒｔ  Ｎｏｄｅ）を決定するための第１情報とを有する、第１受信モジュールと、前記第１受信モジュールにより受信された前記Ｃｏｎｔｅｘｔ  Ｒｅｑｕｅｓｔメッセージに従ってＣｏｎｔｅｘｔ  Ｒｅｓｐｏｎｓｅメッセージを前記ターゲットＭＭＥに送信するよう構成される送信モジュールであって、前記Ｃｏｎｔｅｘｔ  Ｒｅｓｐｏｎｓｅメッセージは前記ＩＭＳＩに対応するＵＥのコンテクスト情報を有する、送信モジュールと、を有するＳＧＳＮを提供する。
【００１４】
他の態様では、本発明は、ＭＳＣ（Ｍｏｂｉｌｉｔｙ  Ｓｗｉｔｃｈｉｎｇ  Ｃｅｎｔｅｒ）サーバにより送信される第２Ｈａｎｄｏｖｅｒ  Ｒｅｑｕｅｓｔを受信するよう構成される第１受信モジュールであって、前記第２Ｈａｎｄｏｖｅｒ  Ｒｅｑｕｅｓｔは、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）と、ソースＳＧＳＮ（Ｓｅｒｖｉｎｇ  ＧＰＲＳ  Ｓｕｐｐｏｒｔ  Ｎｏｄｅ）を決定するための第１情報とを有し、前記第２Ｈａｎｄｏｖｅｒ  Ｒｅｑｕｅｓｔは、ＢＳＣ（Ｂａｓｅ  Ｓｔａｔｉｏｎ  Ｃｏｎｔｒｏｌｌｅｒ）／ＲＮＣ（Ｒａｄｉｏ  Ｎｅｔｗｏｒｋ  Ｃｏｎｔｒｏｌｌｅｒ）からの第１Ｈａｎｄｏｖｅｒ  Ｒｅｑｕｅｓｔに従って前記ＭＳＣサーバにより送信されるリクエストである、第１受信モジュールと、前記第１受信モジュールにより受信された前記第２Ｈａｎｄｏｖｅｒ  Ｒｅｑｕｅｓｔに含まれる前記第１情報に従って前記ソースＳＧＳＮを決定するよう構成される決定モジュールと、前記決定モジュールにより決定された前記ソースＳＧＳＮに前記ＩＭＳＩを有するＣｏｎｔｅｘｔ  Ｒｅｑｕｅｓｔメッセージを送信するよう構成される第１送信モジュールと、前記ソースＳＧＳＮにより送信されるＣｏｎｔｅｘｔ  Ｒｅｓｐｏｎｓｅメッセージを受信するよう構成される第２受信モジュールであって、前記Ｃｏｎｔｅｘｔ  Ｒｅｓｐｏｎｓｅメッセージは、前記ＩＭＳＩに対応するＵＥのコンテクスト情報を有する、第２受信モジュールと、を有するＭＭＥ（Ｍｏｂｉｌｉｔｙ  Ｍａｎａｇｅｍｅｎｔ  Ｅｎｔｉｔｙ）を提供する。
【００１５】
他の態様では、本発明は、サービングネットワークにおけるＰＳハンドオーバとＣＳハンドオーバとをサポートし、ＵＥがＣＳ及びＰＳ接続状態にあるとき、ＭＳＣ（Ｍｏｂｉｌｅ  Ｓｗｉｔｃｈｉｎｇ  Ｃｅｎｔｅｒ）にハンドオーバを要求するための一意的な第１Ｈａｎｄｏｖｅｒ  ＲｅｑｕｅｓｔをＭＳＣサーバに送信するよう構成される送信モジュールを有するＢＳＣ（Ｂａｓｅ  Ｓｔａｔｉｏｎ  Ｃｏｎｔｒｏｌｌｅｒ）／ＲＮＣ（Ｒａｄｉｏ  Ｎｅｔｗｏｒｋ  Ｃｏｎｔｒｏｌｌｅｒ）を提供する。
【００１６】
他の態様では、本発明は、ＢＳＣ（Ｂａｓｅ  Ｓｔａｔｉｏｎ  Ｃｏｎｔｏｌｌｅｒ）／ＲＮＣ（Ｒａｄｉｏ  Ｎｅｔｗｏｒｋ  Ｃｏｎｔｒｏｌｌｅｒ）により送信されたＣＳ  Ｈａｎｄｏｖｅｒ  Ｒｅｑｕｉｒｅｄメッセージを受信するよう構成される受信モジュールと、前記受信モジュールにより受信された前記ＣＳ  Ｈａｎｄｏｖｅｒ  Ｒｅｑｕｉｒｅｄメッセージに従って、ＣＳ  ｔｏ  ＰＳ  Ｈａｎｄｏｖｅｒ  ＲｅｑｕｅｓｔメッセージをターゲットＭＭＥ（Ｍｏｂｉｌｉｔｙ  Ｍａｎａｇｅｍｅｎｔ  Ｅｎｔｉｔｙ）に送信するよう構成される第１送信モジュールと、前記受信モジュールにより受信される前記ＣＳ  Ｈａｎｄｏｖｅｒ  Ｒｅｑｕｉｒｅｄメッセージに従って、ＣＳ  Ｈａｎｄｏｖｅｒ  Ｒｅｑｕｉｒｅｄ  Ａｃｋｎｏｗｌｅｄｇｅｍｅｎｔメッセージを前記ＢＳＣ／ＲＮＣに送信するよう構成される第２送信モジュールであって、前記ＣＳ  Ｈａｎｄｏｖｅｒ  Ｒｅｑｕｉｒｅｄ  Ａｃｋｎｏｗｌｅｄｇｅｍｅｎｔメッセージは、前記ターゲットＭＭＥを決定するための第２情報を有し、前記ＢＳＣ／ＲＮＣは、ソースＳＧＳＮ（Ｓｅｒｖｉｎｇ  ＧＰＲＳ  Ｓｕｐｐｏｒｔ  Ｎｏｄｅ）に前記第２情報を有するＰＳ  Ｈａｎｄｏｖｅｒ  Ｒｅｑｕｉｒｅｄメッセージを送信し、これにより、前記ソースＳＧＳＮがＲｅｌｏｃａｔｉｏｎ  Ｒｅｑｕｅｓｔメッセージを前記ターゲットＭＭＥに送信することを可能にする、第２送信モジュールと、を有するＭＳＣ（Ｍｏｂｉｌｅ  Ｓｗｉｔｃｈｉｎｇ  Ｃｅｎｔｅｒ）サーバを提供する。
【００１７】
他の態様では、本発明は、ＢＳＣ（Ｂａｓｅ  Ｓｔａｔｉｏｎ  Ｃｏｎｔｒｏｌｌｅｒ）／ＲＮＣ（Ｒａｄｉｏ  Ｎｅｔｗｏｒｋ  Ｃｏｎｔｒｏｌｌｅｒ）により送信されたＰＳ  Ｈａｎｄｏｖｅｒ  Ｒｅｑｕｉｒｅｄメッセージを受信するよう構成される受信モジュールと、前記受信モジュールにより受信された前記ＰＳ  Ｈａｎｄｏｖｅｒ  Ｒｅｑｕｉｒｅｄメッセージに従って、Ｒｅｌｏｃａｔｉｏｎ  ＲｅｑｕｅｓｔメッセージをターゲットＭＭＥ（Ｍｏｂｉｌｉｔｙ  Ｍａｎａｇｅｍｅｎｔ  Ｅｎｔｉｔｙ）に送信するよう構成される第１送信モジュールと、前記受信モジュールにより受信された前記ＰＳ  Ｈａｎｄｏｖｅｒ  Ｒｅｑｕｉｒｅｄメッセージに従って、ＰＳ  Ｈａｎｄｏｖｅｒ  Ｒｅｑｕｉｒｅｄ  Ａｃｋｎｏｗｌｅｄｇｅｍｅｎｔメッセージを前記ＢＳＣ／ＲＮＣに送信するよう構成される第２送信モジュールであって、前記ＰＳ  Ｈａｎｄｏｖｅｒ  Ｒｅｑｕｉｒｅｄ  Ａｃｋｎｏｗｌｅｄｇｅｍｅｎｔメッセージは、前記ターゲットＭＭＥを決定するための第２情報を有し、前記ＢＳＣ／ＲＮＣは、ＭＳＣ（Ｍｏｂｉｌｅ  Ｓｗｉｔｃｈｉｎｇ  Ｃｅｎｔｅｒ）サーバに前記第２情報を有するＣＳ  Ｈａｎｄｏｖｅｒ  Ｒｅｑｕｉｒｅｄメッセージを送信し、これにより、前記ＭＳＣサーバが前記ターゲットＭＭＥにＣＳ  ｔｏ  ＰＳ  Ｈａｎｄｏｖｅｒ  Ｒｅｑｕｅｓｔメッセージを送信することを可能にする、第２送信モジュールと、を有するＳＧＳＮを提供する。
【００１８】
上記技術的手段に基づき、本発明の実施例によるサービングネットワークにハンドオーバするための方法、ＭＳＣサーバ、ＳＧＳＮ及びＭＭＥは、ＭＳＣサーバにより決定されたＭＭＥを利用することによってコンテクスト情報についてソースＳＧＳＮに照会することによって、ｒＳＲＶＣＣ（ｒｅｖｅｒｓｅ  Ｓｉｎｇｌｅ  Ｒａｄｉｏ  Ｖｏｉｃｅ  Ｃａｌｌ  Ｃｏｎｔｉｎｕｉｔｙ）ハンドオーバプロセスにおいて、ＭＳＣサーバとＳＧＳＮとが、ＣＳドメインからＰＳドメインに音声サービスをスイッチするため、同一のＭＭＥとやりとりすることを保証することが可能であり、これにより、ＭＳＣサーバとＳＧＳＮとが異なるＭＭＥを選択するために生じるハンドオーバの失敗を回避し、ＰＳハンドオーバプロセスとＣＳハンドオーバプロセスとを同期させ、ハンドオーバの精度及び効率性を向上させ、ユーザ体感を高めることが可能である。
【図面の簡単な説明】
【００１９】
本発明の実施例における技術的手段をより明確に説明するため、以下において、本発明の実施例を説明するのに必要とされる添付した図面が簡単に紹介される。明らかに、以下の説明における添付した図面は、本発明の一部の実施例しか示しておらず、当業者は、創作的な努力なく添付した図面から他の図面を依然として導出してもよい。
【図１】図１は、本発明の実施例によるサービングネットワークにハンドオーバするための方法の概略的なフローチャートである。
【図２】図２は、本発明の実施例によるサービングネットワークにハンドオーバするための方法の他の概略的なフローチャートである。
【図３】図３は、本発明の実施例によるサービングネットワークにハンドオーバするための方法の他の概略的なフローチャートである。
【図４】図４は、本発明の実施例によるサービングネットワークにハンドオーバするための方法の他の概略的なフローチャートである。
【図５】図５は、本発明の実施例によるサービングネットワークにハンドオーバするための方法の他の概略的なフローチャートである。
【図６】図６は、本発明の実施例によるサービングネットワークにハンドオーバするための方法の他の概略的なフローチャートである。
【図７】図７は、本発明の実施例によるサービングネットワークにハンドオーバするための方法の詳細なフローチャートである。
【図８】図８は、本発明の他の実施例によるサービングネットワークにハンドオーバするための方法の概略的なフローチャートである。
【図９】図９は、本発明の他の実施例によるサービングネットワークにハンドオーバするための方法の概略的なフローチャートである。
【図１０】図１０は、本発明の実施例によるサービングネットワークにハンドオーバするための方法の他の詳細なフローチャートである。
【図１１】図１１は、本発明の実施例によるＭＳＣサーバの概略的なブロック図である。
【図１２】図１２は、本発明の実施例によるＭＳＣサーバの他の概略的なブロック図である。
【図１３】図１３は、本発明の実施例によるＳＧＳＮの概略的なブロック図である。
【図１４】図１４は、本発明の実施例によるＳＧＳＮの他の概略的なブロック図である。
【図１５】図１５は、本発明の実施例によるリリーシングモジュールの概略的なブロック図である。
【図１６】図１６は、本発明の実施例によるＭＭＥの概略的なブロック図である。
【図１７】図１７は、本発明の実施例によるＭＭＥの他の概略的なブロック図である。
【図１８】図１８は、本発明の実施例によるＢＳＣ／ＲＮＣの概略的なブロック図である。
【図１９】図１９は、本発明の他の実施例によるＭＳＣサーバの概略的なブロック図である。
【図２０】図２０は、本発明の他の実施例によるＳＧＳＮの概略的なブロック図である。
【発明を実施するための形態】
【００２０】
以下において、本発明の実施例における添付した図面を参照して、本発明の実施例における技術的手段が明確かつ完全に説明される。明らかに、説明される実施例は、本発明の全ての実施例というよりも単なる一部である。創作的な努力なく本発明の実施例に基づき当業者により取得される他の全ての実施例は、本発明の保護範囲内に属する。
【００２１】
ＣＳドメインネットワークと比較して、ＰＳドメインネットワークは、ユーザに対してより良好なクオリティのより高いレートにより音声サービスを提供することが可能であり、ユーザのより大きなデータサービス要求を充足可能である。従って、ＰＳドメインネットワークのより多くの音声ユーザを開発するため、オペレータは、通常はＣＳドメインよりＰＳドメインにより高い優先度を設定し、これにより、音声ユーザがＰＳドメインネットワークに優先的に在圏することを可能にする。この結果、ＣＳドメインネットワークがＰＳドメインネットワークと共存する状況下では、ＵＥが２Ｇ又は３Ｇネットワーク（以降、“Ｇ／Ｕネットワーク”と参照される）のＣＳドメインにおいて音声呼を最初に開始し、その後に、より高い優先度の制限を考慮したり、又は音声サービスのクオリティに対するより高い要求に基づき、ＰＳドメインネットワークによりカバーされるエリアに移動すると、ＵＥは、ＣＳドメインからＬＴＥ／ＨＳＰＡネットワークのＰＳドメインに音声呼をスイッチする必要がある。すなわち、ｒＳＲＶＣＣハンドオーバプロセスが実行される。
【００２２】
ｒＳＲＶＣＣハンドオーバプロセスでは、モバイルスイッチングセンタ（ＭＳＣ）サーバは、モビリティマネージメントエンティティＭＭＥを選択し、ＭＭＥとやりとりする。ソースサービングＧＰＲＳサポートノード（ＳＧＳＮ）がまた、ＭＭＥを選択し、やりとりする。ＭＳＣサーバにより選択されたＭＭＥとソースＳＧＳＮにより選択されたＭＭＥとが同じでない場合、ハンドオーバの失敗が生じる。
【００２３】
ＭＳＣサーバとＳＧＳＮとが同一のＭＭＥとやりとりすることを可能にし、これによりＧ／ＵネットワークのＣＳドメインからＬＴＥ／ＨＳＰＡネットワークＰＳドメインに音声サービスを切り替えるための技術的手段が必要とされる。
【００２４】
上記技術的問題を解決するため、本発明は、以下の技術的手段を提供する。
【００２５】
本発明の技術的手段は、ＧＳＭ（登録商標）（Ｇｌｏｂａｌ  Ｓｙｓｔｅｍ  ｏｆ  Ｍｏｂｉｌｅ  Ｃｏｍｍｕｎｉｃａｔｉｏｎ）システム、ＣＤＭＡ（Ｃｏｄｅ  Ｄｉｖｉｓｉｏｎ  Ｍｕｌｔｉｐｌｅ  Ａｃｃｅｓｓ）システム、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）システム、ＧＰＲＳ（Ｇｅｎｅｒａｌ  Ｐａｃｋｅｔ  Ｒａｄｉｏ  Ｓｅｒｖｉｃｅ）システム、ＬＴＥシステム、ＬＴＥ  ＦＤＤ（Ｆｒｅｑｕｅｎｃｙ  Ｄｉｖｉｓｉｏｎ  Ｄｕｐｌｅｘ）システム、ＬＴＥ  ＴＤＤ（Ｔｉｍｅ  Ｄｉｖｉｓｉｏｎ  Ｄｕｐｌｅｘ）システム、及びＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）などの各種通信システムに適用されてもよいことが理解されるべきである。
【００２６】
本発明の実施例では、ＵＥは端末、移動局（ＭＳ）、モバイル端末などと参照されてもよいことが理解されるべきである。ＵＥは、無線アクセスネットワーク（ＲＡＮ）を介した通信のため１以上のコアネットワークに接続されてもよい。例えば、ＵＥは、携帯電話（セルフォンとも呼ばれる）、モバイル端末を有するコンピュータなどであってもよい。例えば、ＵＥはまた、無線アクセスネットワークと音声及び／又はデータを交換するポータブル、ポケットサイズ、携帯、コンピュータビルトイン、又は車両搭載モバイル装置であってもよい。
【００２７】
本発明の実施例では、基地局は、ＧＳＭ（登録商標）又はＣＤＭＡにおけるベース送受信ステーション（ＢＴＳ）、ＷＣＤＭＡ（登録商標）におけるＮｏｄｅ  Ｂ（ＮＢ）又はＬＴＥにおけるｅｖｏｌｖｅｄ  Ｎｏｄｅ  Ｂ（ｅＮＢ又はｅ−Ｎｏｄｅ  Ｂ）であってもよい。本発明はそれに対して限定を設定しない。しかしながら、説明の便宜のため、以下の実施例は、例えば、基地局ｅＮＢ及びＵＥを用いることによって説明される。
【００２８】
図１は、本発明の実施例によるサービングネットワークにハンドオーバするための方法１００の概略的なフローチャートである。図１に示されるように、本方法１００は以下を含む。
【００２９】
Ｓ１１０  基地局コントローラ（“ＢＳＣ”として略称されるＢａｓｅ  Ｓｔａｔｉｏｎ  Ｃｏｎｔｒｏｌｌｅｒ）／又は無線ネットワークコントローラ（“ＲＮＣ”として略称されるＲａｄｉｏ  Ｎｅｔｗｏｒｋ  Ｃｏｎｔｒｏｌｌｅｒ）により送信される第１Ｈａｎｄｏｖｅｒ  Ｒｅｑｕｅｓｔを受信する。
【００３０】
Ｓ１２０  第１Ｈａｎｄｏｖｅｒ  Ｒｅｑｕｅｓｔに従ってターゲットＭＭＥ（Ｍｏｂｉｌｉｔｙ  Ｍａｎｇｅｍｅｎｔ  Ｅｎｔｉｔｙ）に第２Ｈａｎｄｏｖｅｒ  Ｒｅｑｕｅｓｔを送信し、第２Ｈａｎｄｏｖｅｒ  Ｒｅｑｕｅｓｔは、国際モバイル加入者識別情報（“ＩＭＳＩ”として略称されるＩｎｔｅｒｎａｔｉｏｎａｌ  Ｍｏｂｉｌｅ  Ｓｕｂｓｃｒｉｂｅｒ  Ｉｄｅｎｔｉｔｙ）と、ソースＳＧＳＮ（Ｓｅｒｖｉｎｇ  ＧＰＲＳ  Ｓｕｐｐｏｒｔ  Ｎｏｄｅ）を決定するための第１情報とを有し、ターゲットＭＭＥは、ＩＭＳＩを有するＣｏｎｔｅｘｔ  ＲｅｑｕｅｓｔメッセージをソースＳＧＳＮに送信し、ソースＳＧＳＮにより送信されるＩＭＳＩに対応するＵＥのコンテクスト情報を受信する。
【００３１】
ｒＳＲＶＣＣハンドオーバプロセスでは、ＢＳＣ／ＲＮＣがハンドオーバを要求するための一意的な第１Ｈａｎｄｏｖｅｒ  ＲｅｑｕｅｓｔをＭＳＣサーバに送信すると、ＭＳＣサーバは、第２Ｈａｎｄｏｖｅｒ  ＲｅｑｕｅｓｔをターゲットＭＭＥに送信し、ターゲットＭＭＥはコンテクスト情報についてソースＳＧＳＮに照会し、これにより、ＣＳドメインからＰＳドメインに音声サービスをスイッチすることができる。
【００３２】
従って、本発明の実施例によるサービングネットワークにハンドオーバするための方法は、ＭＳＣサーバにより決定されたＭＭＥを利用することによって、コンテクスト情報についてソースＳＧＳＮに照会することによって、ｒＳＲＶＣＣハンドオーバプロセスにおいて、ＭＳＣサーバとＳＧＳＮとが、ＣＳドメインからＰＳドメインに音声サービスをスイッチするため同一のＭＭＥとやりとりし、これにより、ＭＳＣサーバとＳＧＳＮとが異なるＭＭＥを選択するために生じるハンドオーバの失敗を回避し、ＰＳハンドオーバプロセスとＣＳハンドオーバプロセスとを同期させ、ハンドオーバの精度及び効率性を向上させ、ユーザ体感を高めることが可能になる。
【００３３】
Ｓ１１０において、音声サービスがＣＳドメインからＰＳドメインにスイッチされる必要があるとき、ＭＳＣサーバは、ＢＳＣ／ＲＮＣにより送信されたハンドオーバを要求するための一意的な第１Ｈａｎｄｏｖｅｒ  Ｒｅｑｕｅｓｔを受信し、あるいは、第１Ｈａｎｄｏｖｅｒ  Ｒｅｑｕｅｓｔは、ＰＳハンドオーバ関連情報などのＰＳドメインに関連する情報のみを含む。例えば、第１Ｈａｎｄｏｖｅｒ  Ｒｅｑｕｅｓｔは、ＣＳ  Ｈａｎｄｏｖｅｒ  Ｒｅｑｕｉｒｅｄ（ＣＳ  ＨＯ  Ｒｅｑｕｉｒｅｄ）メッセージである。しかしながら、本発明の実施例はこれに限定されず、第１Ｈａｎｄｏｖｅｒ  Ｒｅｑｕｅｓｔはまた、ＰＳハンドオーバに関連する情報を含む他のメッセージであってもよい。
【００３４】
あるいは、第１Ｈａｎｄｏｖｅｒ  Ｒｅｑｕｅｓｔは、サービングネットワークがＰＳハンドオーバとＣＳハンドオーバとをサポートし、ＵＥがＣＳ及びＰＳ接続状態にあるとき、ＢＳＣ／ＲＮＣにより送信されるハンドオーバを要求するための一意的なメッセージである。すなわち、サービングネットワークがＰＳハンドオーバとＣＳハンドオーバとをサポートし、ＵＥがＣＳ及びＰＳ接続状態にあるとき、ＢＳＣ／ＲＮＣは、ＣＳからＰＳへのハンドオーバプロセスをトリガするため、ＣＳ  Ｈａｎｄｏｖｅｒ  ＲｅｑｕｉｒｅｄメッセージをＭＳＣサーバに送信するのみであり、ＢＳＣ／ＲＮＣは、ソースＳＧＳＮにＰＳ  Ｈａｎｄｏｖｅｒ  Ｒｅｑｕｉｒｅｄ（ＰＳ  ＨＯ  Ｒｅｑｕｉｒｅｄ）メッセージを送信しない。
【００３５】
Ｓ１２０において、ＭＳＣサーバは、ターゲットＥ−ＵＴＲＡＮ（Ｅｖｏｌｖｅｄ  ＵＭＴＳ  Ｕｎｉｖｅｒｓａｌ  Ｔｅｒｒｅｓｔｒｉａｌ  Ｒａｄｉｏ  Ａｃｃｅｓｓ）セルグローバル識別情報（“ＥＣＧＩ”として略称されるＥ−ＵＴＲＡＮ  Ｃｅｌｌ  Ｇｌｏｂａｌ  Ｉｄｅｎｔｉｔｙ）情報／トラッキングエリア識別情報（“ＴＡＩ”として略称されるＴｒａｃｋｉｎｇ  Ａｒｅａ  Ｉｄｅｎｔｉｔｙ）などに従ってターゲットＭＭＥを選択し、第１Ｈａｎｄｏｖｅｒ  Ｒｅｑｕｅｓｔに従って第２Ｈａｎｄｏｖｅｒ  ＲｅｑｕｅｓｔをターゲットＭＭＥに送信してもよく、ここで、第２Ｈａｎｄｏｖｅｒ  Ｒｅｑｕｅｓｔは、ＩＭＳＩとソースＳＧＳＮを決定するための第１情報とを含み、ターゲットＭＭＥは、第１情報に従ってソースＳＧＳＮを決定し、ＩＭＳＩを含むＣｏｎｔｅｘｔ  ＲｅｑｕｅｓｔメッセージをソースＳＧＳＮに送信し、ソースＳＧＳＮにより送信されるＩＭＳＩに対応するＵＥのコンテクスト情報を受信する。あるいは、第２Ｈａｎｄｏｖｅｒ  Ｒｅｑｕｅｓｔは、ＣＳ  ｔｏ  ＰＤＳ  Ｈａｎｄｏｖｅｒ  Ｒｅｑｕｅｓｔ（ＣＳ  ｔｏ  ＰＳ  ＨＯ  Ｒｅｑｕｅｓｔ）メッセージである。あるいは、第１情報は、ｒＳＲＶＣＣ情報エレメント（Ｉｎｆｏｒｍａｔｉｏｎ  Ｅｌｅｍｅｎｔ、すなわち、ＩＥ）である。
【００３６】
ＭＳＣサーバはまた、他の方法を利用することによってターゲットＭＭＥを選択又は決定してもよいことが理解されるべきである。本発明の実施例は、一例として上記を利用することによって説明されるが、それに限定されるものでない。
【００３７】
本発明の実施例では、あるいは、サービングネットワークがＨＳＰＡ（Ｈｉｇｈ  Ｓｐｅｅｄ  Ｐａｃｋｅｔ  Ａｃｃｅｓｓ）ネットワークであるとき、第１Ｈａｎｄｏｖｅｒ  Ｒｅｑｕｅｓｔは、ＲＮＣにより送信されるＲｅｌｏｃａｔｉｏｎ  Ｒｅｑｕｉｒｅｄメッセージ又はＢＳＣにより送信されるＣＳ  Ｈａｎｄｏｖｅｒ  Ｒｅｑｕｉｒｅｄメッセージであり、Ｒｅｌｏｃａｔｉｏｎ  Ｒｅｑｕｉｒｅｄメッセージ又はＣＳ  Ｈａｎｄｏｖｅｒ  Ｒｅｑｕｉｒｅｄメッセージは、ソースＲＮＣからターゲットＲＮＣへのトランスペアレントコンテナを有し、ソースＲＮＣからターゲットＲＮＣへのトランスペアレントコンテナにおけるＩｕインスタンスの数量は１に設定され、ソースＲＮＣからターゲットＲＮＣへのトランスペアレントコンテナは、ＰＳハンドオーバ関連情報などのＰＳに関連する情報のみを有する。
【００３８】
あるいは、サービングネットワークがＬＴＥ（Ｌｏｎｇ  Ｔｅｒｍ  Ｅｖｏｌｕｔｉｏｎ）ネットワークであるとき、第１Ｈａｎｄｏｖｅｒ  Ｒｅｑｕｅｓｔは、ＲＮＣにより送信されるＲｅｌｏｃａｔｉｏｎ  Ｒｅｑｕｉｒｅｄメッセージ又はＢＳＣにより送信されるＣＳ  Ｈａｎｄｏｖｅｒ  Ｒｅｑｕｉｒｅｄメッセージであり、Ｒｅｌｏｃａｔｉｏｎ  Ｒｅｑｕｉｒｅｄメッセージ又はＣＳ  Ｈａｎｄｏｖｅｒ  Ｒｅｑｕｉｒｅｄメッセージは、ソース基地局からターゲット基地局へのトランスペアレントコンテナを有し、ソース基地局からターゲット基地局へのトランスペアレントコンテナは、ＰＳハンドオーバ関連情報などのＰＳに関連する情報のみを有する。
【００３９】
本発明の実施例では、図２に示されるように、本方法１００は更に以下を含む。
【００４０】
Ｓ１３０  ＭＳＣサーバは、ターゲットＭＭＥにより送信されたＨａｎｄｏｖｅｒ  Ｃｏｍｐｌｅｔｅメッセージを受信する。
【００４１】
Ｓ１４０  ＭＳＣサーバは、関連するＣＳ（Ｃｉｒｃｕｉｔ  Ｓｗｉｔｃｈｅｄ）ドメインリソースをリリースし、Ｈａｎｄｏｖｅｒ  Ｃｏｍｐｌｅｔｅメッセージに従ってベアラリリースメッセージをＲＮＣに送信し、タイマが満了すると、ＲＮＣは関連するＰＳ（Ｐａｃｋｅｔ  Ｓｗｉｔｃｈｅｄ）リソースをリリースし、タイマは、ＲＮＣが第１Ｈａｎｄｏｖｅｒ  Ｒｅｑｕｅｓｔを送信するとＲＮＣによりスタートされる。
【００４２】
すなわち、ＢＳＣ／ＲＮＣは、第１Ｈａｎｄｏｖｅｒ  Ｒｅｑｕｅｓｔを送信する際にタイマをスタートする。ＭＳＣサーバにより送信されたベアラリリースメッセージを受信した後、タイマが満了している場合、ＢＳＣ／ＲＮＣは、関連するＰＳリソースをリリースし、タイマが満了していない場合、タイマが満了するまで関連するＰＳリソースをリリースするのを待機する。
【００４３】
従って、本発明の実施例によるサービングネットワークにハンドオーバするための方法は、ＭＳＣサーバにより決定されたＭＭＥを利用することによって、コンテクスト情報についてソースＳＧＳＮに照会することによって、ｒＳＲＶＣＣハンドオーバプロセスにおいて、ＭＳＣサーバとＳＧＳＮとは、ＣＳドメインからＰＳドメインに音声サービスをスイッチするため同一のＭＭＥとやりとりすることを保証し、これにより、ＭＳＣサーバとＳＧＳＮとが異なるＭＭＥを選択するために生じるハンドオーバの失敗を回避し、ＰＳハンドオーバプロセスとＣＳハンドオーバプロセスとを同期させ、ハンドオーバの精度及び効率性を向上させ、ユーザ体感を高めることが可能である。
【００４４】
図３及び４は、ソースＳＧＳＮの観点から説明される本発明の実施例によるサービングネットワークにハンドオーバするための方法の概略的なフローチャートである。図３に示されるように、本発明の実施例によるサービングネットワークにハンドオーバするための方法２００は以下を含む。
【００４５】
Ｓ２１０  ターゲットＭＭＥ（Ｍｏｂｉｌｉｔｙ  Ｍａｎａｇｅｍｅｎｔ  Ｅｎｔｉｔｙ）により送信されたＣｏｎｔｅｘｔ  Ｒｅｑｕｅｓｔメッセージを受信し、Ｃｏｎｔｅｘｔ  ＲｅｑｕｅｓｔメッセージはＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）を有し、Ｃｏｎｔｅｘｔ  Ｒｅｑｕｅｓｔメッセージは、ＭＳＣ（Ｍｏｂｉｌｅ  Ｓｗｉｔｃｈｉｎｇ  Ｃｅｎｔｅｒ）サーバからのＨａｎｄｏｖｅｒ  Ｒｅｑｕｅｓｔに従ってターゲットＭＭＥにより送信されるメッセージであり、Ｈａｎｄｏｖｅｒ  Ｒｅｑｕｅｓｔは、ＩＭＳＩとＳＧＳＮ（Ｓｅｒｖｉｎｇ  ＧＰＲＳ  Ｓｕｐｐｏｒｔ  Ｎｏｄｅ）を決定するための第１情報とを有する。
【００４６】
Ｓ２２０  Ｃｏｎｔｅｘｔ  Ｒｅｑｕｅｓｔメッセージに従ってターゲットＭＭＥにＣｏｎｔｅｘｔ  Ｒｅｓｐｏｎｓｅメッセージを送信し、Ｃｏｎｔｅｘｔ  Ｒｅｓｐｏｎｓｅメッセージは、ＩＭＳＩに対応するＵＥのコンテクスト情報を有する。
【００４７】
Ｓ２１０において、ソースＳＧＳＮは、ターゲットＭＭＥにより送信されるＣｏｎｔｅｘｔ  Ｒｅｑｕｅｓｔメッセージを受信し、Ｃｏｎｔｅｘｔ  Ｒｅｑｕｅｓｔメッセージは、ＩＭＳＩを含む。あるいは、Ｃｏｎｔｅｘｔ  Ｒｅｑｕｅｓｔメッセージは更に、ｒＳＲＶＣＣ  ＩＥなどの第１情報を含み、ソースＳＧＳＮは、第１情報に従ってｒＳＲＶＣＣ処理を認識してもよい。
【００４８】
Ｓ２２０において、ソースＳＧＳＮは、ＩＭＳＩに対応するＵＥのコンテクスト情報をＣｏｎｔｅｘｔ  Ｒｅｑｕｅｓｔメッセージに従ってターゲットＭＭＥに送信する。
【００４９】
Ｃｏｎｔｅｘｔ  ＲｅｑｕｅｓｔメッセージとＣｏｎｔｅｘｔ  Ｒｅｓｐｏｎｓｅメッセージとは、既存のメッセージ又は新たに規定されたメッセージであってもよく、本発明の実施例はこれに限定されるものでないことが理解されるべきである。
【００５０】
本発明の実施例では、あるいは、図４に示されるように、本方法２００は更に以下を含む。
【００５１】
Ｓ２３０  ソースＳＧＳＮは、ターゲットＭＭＥにより送信されるハンドオーバの完了を通知するための通知メッセージを受信する。
【００５２】
Ｓ２４０  ソースＳＧＳＮは、タイマをスタートし、タイマが満了すると、関連するＰＳリソースをリリースする。
【００５３】
Ｓ２３０において、通知メッセージは、ハンドオーバの完了を通知するのに利用される。例えば、通知メッセージは、Ｃｏｎｔｅｘｔ  Ｒｅｑｕｅｓｔ  Ａｃｋｎｏｗｌｅｄｇｅｍｅｎｔメッセージ又はＨａｎｄｏｖｅｒ  Ｎｏｔｉｆｙメッセージなどである。あるいは、通知メッセージは、コンテクスト情報の受信の確認後、基地局からのＨａｎｄｏｖｅｒ  Ｎｏｔｉｆｙメッセージに従ってターゲットＭＭＥにより送信されるメッセージである。
【００５４】
Ｓ２４０において、ソースＳＧＳＮは、通知メッセージの受信後、ＢＳＣ／ＲＮＣとサービングＳＧＷのリソースがリリースされることをモニタし保証するためのタイマをスタートする。すなわち、備えられたタイマが満了すると、関連するＰＳリソースがリリースされる。
【００５５】
具体的には、タイマが満了すると関連するＰＳリソースをリリースすることは、タイマが満了すると、ＳＧＳＮ上の関連するＰＳリソースをリリースし、ＢＳＣ（Ｂａｓｅ  Ｓｔａｔｉｏｎ  Ｃｏｎｔｒｏｌｌｅｒ）／ＲＮＣ（Ｒａｄｉｏ  Ｎｅｔｗｏｒｋ  Ｃｏｎｔｒｏｌｌｅｒ）にＲｅｌｅａｓｅ  Ｒｅｓｏｕｒｃｅメッセージを送信することを含み、ＢＳＣ／ＲＮＣは、Ｒｅｌｅａｓｅ  Ｒｅｓｏｕｒｃｅメッセージに従って関連するＰＳリソースをリリースする。
【００５６】
あるいは、ＳＧＳＮがＳ４  ＳＧＳＮであり、ＳＧＷ（Ｓｅｒｖｉｎｇ  Ｇａｔｅｗａｙ）に変更が発生した場合、Ｄｅｌｅｔｅ  Ｓｅｓｓｉｏｎ  Ｒｅｑｕｅｓｔメッセージが、ＳＧＷに送信され、ＳＧＷは、Ｄｅｌｅｔｅ  Ｓｅｓｓｉｏｎ  Ｒｅｑｕｅｓｔメッセージに従って関連するＰＳリソースをリリースする。
【００５７】
従って、本発明の実施例によるサービングネットワークにハンドオーバするための方法は、ＭＳＣサーバにより決定されたＭＭＥを利用することによって、コンテクスト情報についてソースＳＧＳＮに照会することによって、ｒＳＲＶＣＣハンドオーバプロセスにおいて、ＭＳＣサーバとＳＧＳＮとは、ＣＳドメインからＰＳドメインに音声サービスをスイッチするため同一のＭＭＥとやりとりすることを保証し、これにより、ＭＳＣサーバとＳＧＳＮとが異なるＭＭＥを選択するために生じるハンドオーバの失敗を回避し、ＰＳハンドオーバプロセスとＣＳハンドオーバプロセスとを同期させ、ハンドオーバの精度及び効率性を向上させ、ユーザ体感を高めることが可能である。
【００５８】
図５及び６は、ターゲットＭＭＥの観点から説明される本発明の実施例によるサービングネットワークにハンドオーバするための方法の概略的なフローチャートである。図５に示されるように本発明の実施例によるサービングネットワークにハンドオーバするための方法３００は以下を含む。
【００５９】
Ｓ３１０  ＭＳＣ（Ｍｏｂｉｌｅ  Ｓｗｉｔｃｈｉｎｇ  Ｃｅｎｔｅｒ）サーバにより送信される第２Ｈａｎｄｏｖｅｒ  Ｒｅｑｕｅｓｔを受信し、第２Ｈａｎｄｏｖｅｒ  Ｒｅｑｕｅｓｔは、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）と、ソースＳＧＳＮ（Ｓｅｒｖｉｎｇ  ＧＰＲＳ  Ｓｕｐｐｏｒｔ  Ｎｏｄｅ）を決定するための第１情報とを有し、第２Ｈａｎｄｏｖｅｒ  Ｒｅｑｕｅｓｔは、ＢＳＣ（Ｂａｓｅ  Ｓｔａｔｉｏｎ  Ｃｏｎｔｒｏｌｌｅｒ）／ＲＮＣ（Ｒａｄｉｏ  Ｎｅｔｗｏｒｋ  Ｃｏｎｔｒｏｌｌｅｒ）からの第１Ｈａｎｄｏｖｅｒ  Ｒｅｑｕｅｓｔに従ってＭＳＣサーバにより送信されるリクエストである。
【００６０】
Ｓ３２０  第１情報に従ってソースＳＧＳＮを決定する。
【００６１】
Ｓ３３０  ＩＭＳＩを有するＣｏｎｔｅｘｔ  ＲｅｑｕｅｓｔメッセージをソースＳＧＳＮに送信する。
【００６２】
Ｓ３４０  ソースＳＧＳＮにより送信されるＣｏｎｔｅｘｔ  Ｒｅｓｐｏｎｓｅメッセージを受信し、Ｃｏｎｔｅｘｔ  Ｒｅｓｐｏｎｓｅメッセージは、ＩＭＳＩに対応するＵＥのコンテクスト情報を有する。
【００６３】
Ｓ３１０において、第２Ｈａｎｄｏｖｅｒ  Ｒｅｑｕｅｓｔは、例えば、ＣＳ  ｔｏ  ＰＳ  Ｈａｎｄｏｖｅｒ  Ｒｅｑｕｉｒｅｄメッセージなどであり、ＣＳ  ｔｏ  ＰＳ  Ｈａｎｄｏｖｅｒ  Ｒｅｑｕｉｒｅｄメッセージは、ＩＭＳＩと第１情報とを含み、第１情報はｒＳＲＶＣＣ  ＩＥなどであり、ＩＭＳＩは、ソースＳＧＳＮが対応するＵＥのコンテクスト情報を検出するのに利用される。あるいは、第１Ｈａｎｄｏｖｅｒ  Ｒｅｑｕｅｓｔは、例えば、ＰＳハンドオーバ関連情報などのＰＳドメインに関連する情報のみを有する。
【００６４】
Ｓ３２０において、ターゲットＭＭＥは、例えば、ソースＳＧＳＮのアドレスを取得するため、ｒＳＲＶＣＣ  ＩＥに従ってパーシング又は解析を実行する。
【００６５】
Ｓ３３０において、ターゲットＭＭＥは、ＩＭＳＩを含むＣｏｎｔｅｘｔ  ＲｅｑｕｅｓｔメッセージをソースＳＧＳＮに送信し、Ｃｏｎｔｅｘｔ  Ｒｅｑｕｅｓｔメッセージは更に第１情報を有してもよく、ソースＳＧＳＮはｒＳＲＶＣＣ処理を特定する。
【００６６】
Ｓ３４０において、ターゲットＭＭＥは、ソースＳＧＳＮにより送信されるＩＭＳＩに対応するＵＥのコンテクスト情報を含むメッセージを受信する。例えば、ソースＳＧＳＮは、Ｃｏｎｔｅｘｔ  Ｒｅｓｐｏｎｓｅメッセージを利用することによって、コンテクスト情報を搬送する。
【００６７】
本発明の実施例では、図６に示されるように、あるいは、方法３００は更に以下を含む。
【００６８】
Ｓ３５０  ターゲットＭＭＥは、基地局により送信されたＨａｎｄｏｖｅｒ  Ｎｏｔｉｆｙメッセージを受信する。
【００６９】
Ｓ３６０  ＭＭＥは、ハンドオーバの完了を通知するための通知メッセージをＨａｎｄｏｖｅｒ  Ｎｏｔｉｆｙメッセージに従ってソースＳＧＳＮに送信し、ソースＳＧＳＮは通知メッセージの受信後にタイマをスタートし、タイマが満了すると関連するＰＳリソースをリリースする。
【００７０】
あるいは、通知メッセージは、Ｃｏｎｔｅｘｔ  Ｒｅｑｕｅｓｔ  Ａｃｋｎｏｗｌｅｄｇｅｍｅｎｔメッセージ又はＨａｎｄｏｖｅｒ  Ｎｏｔｉｆｙメッセージなどである。
【００７１】
従って、本発明の実施例によるサービングネットワークにハンドオーバするための方法は、ＭＳＣサーバにより決定されたＭＭＥを利用することによって、ソースＳＧＳＮからのコンテクスト情報を求めることによって、ｒＳＲＶＣＣハンドオーバプロセスにおいて、ＭＳＣサーバとＳＧＳＮとは、ＣＳドメインからＰＳドメインに音声サービスをスイッチするため同一のＭＭＥとやりとりすることを保証し、これにより、ＭＳＣサーバとＳＧＳＮとが異なるＭＭＥを選択するために生じるハンドオーバの失敗を回避し、ＰＳハンドオーバプロセスとＣＳハンドオーバプロセスとを同期させ、ハンドオーバの精度及び効率性を向上させ、ユーザ体感を高めることが可能である。
【００７２】
本発明の実施例によるサービングネットワークにハンドオーバするための方法が、図１〜６を参照して、ＭＳＣサーバ、ソースＳＧＳＮ及びターゲットＭＭＥの観点からそれぞれ詳細に説明された。本発明の実施例による方法は更に、図７を参照して以下で詳細に説明される。
【００７３】
図７に示されるように、本発明の実施例によるサービングネットワークにハンドオーバするための方法４００は以下を含む。
【００７４】
Ｓ４０１  ＢＳＣ（Ｂａｓｅ  Ｓｔａｔｉｏｎ  Ｃｏｎｔｒｏｌｌｅｒ）／ＲＮＣ（Ｒａｄｉｏ  Ｎｅｔｗｏｒｋ  Ｃｏｎｔｒｏｌｌｅｒ）は、ＭＳＣサーバへのハンドオーバを要求するためのＣＳ  Ｈａｎｄｏｖｅｒ  Ｒｅｑｕｉｒｅｄメッセージを送信し、ＣＳ  Ｈａｎｄｏｖｅｒ  Ｒｅｑｕｉｒｅｄメッセージは、ＢＳＣ／ＲＮＣにより送信されるハンドオーバを要求するための唯一のメッセージである。すなわち、ＢＳＣ／ＲＮＣは、ソースＳＧＳＮにＰＳ  Ｈａｎｄｏｖｅｒ  Ｒｅｑｕｉｒｅｄメッセージを送信しない。あるいは、ＣＳ  Ｈａｎｄｏｖｅｒ  Ｒｅｑｕｉｒｅｄメッセージは、ＰＳハンドオーバ関連情報などのＰＳドメインに関連する情報のみを含む。
【００７５】
Ｓ４０２  ＭＳＣサーバは、ターゲットＥＣＧＩ／ＴＡＩ情報に従ってターゲットＭＭＥを選択し、ＣＳ  Ｈａｎｄｏｖｅｒ  Ｒｅｑｕｉｒｅｄメッセージに従って選択されたターゲットＭＭＥにＣＳ  ｔｏ  ＰＳ  Ｈａｎｄｏｖｅｒ  Ｒｅｑｕｅｓｔメッセージを送信し、ＣＳ  ｔｏ  ＰＳ  Ｈａｎｄｏｖｅｒ  Ｒｅｑｕｅｓｔメッセージは、ＩＭＳＩとソースＳＧＳＮを決定するためのｒＳＲＶＣＣ  ＩＥとを含む。
【００７６】
Ｓ４０３  ＭＳＣサーバは、アクセス転送制御機能エンティティ（“ＡＴＣＦ”として略称されるＡｃｃｅｓｓ  Ｔｒａｎｓｆｅｒ  Ｃｏｎｔｒｏｌ  Ｆｕｎｃｔｉｏｎ）にアクセス転送通知（Ａｃｃｅｓｓ  Ｔｒａｎｓｆｅｒ  Ｎｏｔｉｆｉｃａｔｉｏｎ）を送信する。
【００７７】
Ｓ４０４  ターゲットＭＭＥは、ｒＳＲＶＣＣ  ＩＥに従ってソースＳＧＳＮのアドレスを解析及び取得し、ＩＭＳＩ及びｒＳＲＶＣＣ  ＩＥを含むＣｏｎｔｅｘｔ  ＲｅｑｕｅｓｔメッセージをソースＳＧＳＮに送信する。
【００７８】
Ｓ４０５  ソースＳＧＳＮは、ｒＳＲＶＣＣ  ＩＥに従ってｒＳＲＶＣＣ処理を把握し、これにより、ＩＭＳＩを用いることによって関連するＵＥのコンテクスト情報を検出し、その後に、Ｃｏｎｔｅｘｔ  Ｒｅｓｐｏｎｓｅメッセージを用いることによって、ＵＥのコンテクスト情報をターゲットＭＭＥに送信する。
【００７９】
Ｓ４０６  ターゲットＭＭＥは、リソース設定プロセスを実行するため、ターゲットｅＮＢをトリガする。
【００８０】
Ｓ４０７  ターゲットＭＭＥは、ＣＳ  ｔｏ  ＰＳ  Ｈａｎｄｏｖｅｒ  ＲｅｓｐｏｎｓｅメッセージをＭＳＣサーバに返す。
【００８１】
Ｓ４０８  ＭＳＣサーバは、ＣＳ  ｔｏ  ＰＳ  Ｈａｎｄｏｖｅｒ  Ｃｏｍｍａｎｄ（ＣＳ  ｔｏ  ＰＳ  ＨＯ  Ｃｏｍｍａｎｄ）をＢＳＣ／ＲＮＣに送信する。
【００８２】
Ｓ４０９  ＢＳＣ／ＲＮＣは、ＣＳ  ｔｏ  ＰＳ  Ｈａｎｄｏｖｅｒ  ＣｏｍｍａｎｄをＵＥに送信する。
【００８３】
Ｓ４１０  ＭＣＳサーバは、Ａｃｃｅｓｓ  Ｔｒａｎｓｆｅｒ  Ｐｒｅｐａｒａｔｉｏｎ  ＲｅｑｕｅｓｔメッセージをＡＴＣＦに送信する。
【００８４】
Ｓ４１１  ＵＥは、ＣＳ  ｔｏ  ＰＳ  Ｈａｎｄｏｖｅｒ  ＡｃｋｎｏｗｌｅｄｇｅｍｅｎｔメッセージをｅＮＢに送信する。
【００８５】
Ｓ４１２  ｅＮＢは、Ｈａｎｄｏｖｅｒ  ＮｏｔｉｆｙをターゲットＭＭＥに送信する。
【００８６】
Ｓ４１３  ターゲットＭＭＥは、Ｍｏｄｉｆｙ  ＢｅａｒｅｒメッセージをＳＧＷ／ＰＧＷ（Ｐａｃｋｅｔ  Ｇａｔｅｗａｙ）に送信する。
【００８７】
Ｓ４１４  ターゲットＭＭＥは、Ｃｏｎｔｅｘｔ  Ｒｅｑｕｅｓｔ  Ａｃｋｎｏｗｌｅｄｇｅｍｅｎｔ（Ｃｏｎｔｅｘｔ  Ｒｅｑｕｅｓｔ  ＡＣＫ）メッセージをソースＳＧＳＮに送信する。
【００８８】
あるいは、ターゲットＭＭＥは、ハンドオーバの完了を通知するため、Ｈａｎｄｏｖｅｒ  ＮｏｔｉｆｙメッセージをソースＳＧＳＮに送信してもよい。具体的には、ターゲットＭＭＥは、Ｓ４１２においてターゲットＭＭＥがＨａｎｄｏｖｅｒ  Ｎｏｔｉｆｙを受信するまで、Ｃｏｎｔｅｘｔ  Ｒｅｑｕｅｓｔ  ＡＣＫをソースＳＧＳＮに送信しない。ソースＳＧＳＮは、Ｃｏｎｔｅｘｔ  Ｒｅｑｕｅｓｔ  ＡＣＫメッセージの受信後、ＢＳＣ／ＲＮＣ及びサービングＳＧＷのリソースがリリースされることをモニタし保証するためのタイマをスタートする。すなわち、備えられるタイマが満了すると、関連するＰＳリソースがリリースされる。具体的には、ＳＧＳＮは、ＰＳに関連するリソースを削除するため、Ｒｅｌｅａｓｅ  ＲｅｓｏｕｒｃｅメッセージをＢＳＣ／ＲＮＣに送信する。ＳＧＳＮがＳ４  ＳＧＳＮであり、ＳＧＷ上で変更が行われた場合、Ｓ４  ＳＧＳＮは、関連するリソースを削除するため、元のＳＧＷにＤｅｌｅｔｅ  Ｓｅｓｓｉｏｎ  Ｒｅｑｕｅｓｔメッセージを送信する。
【００８９】
あるいは、Ｓ４１２において、ターゲットＭＭＥは、Ｈａｎｄｏｖｅｒ  Ｎｏｔｉｆｙを受信した後に、Ｈａｎｄｏｖｅｒ  ＮｏｔｉｆｙなどのメッセージをソースＳＧＳＮに送信し、ソースＳＧＳＮは、ＢＳＣ／ＲＮＣ及びサービングＳＧＷのリソースがリリースされることをモニタリングし保証するためのタイマをスタートする。すなわち、備えられたタイマが満了すると、関連するＰＳリソースがリリースされる。
【００９０】
Ｓ４１５  ターゲットＭＭＥは、Ｈａｎｄｏｖｅｒ  ＣｏｍｐｌｅｔｅメッセージをＭＳＣサーバに送信する。
【００９１】
Ｓ４１６  ＭＳＣサーバは、Ｒｅｌｅａｓｅ  ＲｅｓｏｕｒｃｅメッセージをＢＳＣ／ＲＮＣに送信する。
【００９２】
Ｓ４１７  ＵＥとＳＧＷ／ＰＧＷとは、デフォルトベアラを介し音声を送信する。
【００９３】
Ｓ４１８  セッション継続プロセスを実行する。
【００９４】
Ｓ４１９  関連する音声ベアラを設定する。
【００９５】
各プロセスのシリアル番号は実行順序を示すものでないことが理解されるべきである。各プロセスの実行順序は、ファンクション及び内部ロジックに従って決定されるべきであり、本発明の実施例の実現プロセスに限定を設定すべきでない。
【００９６】
従って、本発明の実施例によるサービングネットワークにハンドオーバするための方法は、ＭＳＣサーバにより決定されたＭＭＥを利用することによって、のコンテクスト情報についてソースＳＧＳＮに照会することによって、ｒＳＲＶＣＣハンドオーバプロセスにおいて、ＭＳＣサーバとＳＧＳＮとは、ＣＳドメインからＰＳドメインに音声サービスをスイッチするため同一のＭＭＥとやりとりすることを保証し、これにより、ＭＳＣサーバとＳＧＳＮとが異なるＭＭＥを選択するために生じるハンドオーバの失敗を回避し、ＰＳハンドオーバプロセスとＣＳハンドオーバプロセスとを同期させ、ハンドオーバの精度及び効率性を向上させ、ユーザ体感を高めることが可能である。
【００９７】
本発明の実施例は更に、サービングネットワークにハンドオーバするための方法５００を提供する。図８に示されるように、方法５００は以下を含む。
【００９８】
Ｓ５１０  ＭＳＣサーバは、ＢＳＣ（Ｂａｓｅ  Ｓｔａｔｉｏｎ  Ｃｏｎｔｒｏｌｌｅｒ）／ＲＮＣ（Ｒａｄｉｏ  Ｎｅｔｗｏｒｋ  Ｃｏｎｔｒｏｌｌｅｒ）により送信されたＣＳ  Ｈａｎｄｏｖｅｒ  Ｒｅｑｕｉｒｅｄメッセージを受信する。
【００９９】
Ｓ５２０  ＭＳＣサーバは、ＣＳ  Ｈａｎｄｏｖｅｒ  Ｒｅｑｕｉｒｅｄメッセージに従ってＣＳ  ｔｏ  ＰＳ  Ｈａｎｄｏｖｅｒ  ＲｅｑｕｅｓｔメッセージをターゲットＭＭＥ（Ｍｏｂｉｌｉｔｙ  Ｍａｎａｇｅｍｅｎｔ  Ｅｎｔｉｔｙ）に送信する。
【０１００】
Ｓ５３０  ＭＳＣサーバは、ＣＳ  Ｈａｎｄｏｖｅｒ  Ｒｅｑｕｉｒｅｄメッセージに従ってＣＳ  Ｈａｎｄｏｖｅｒ  Ｒｅｑｕｉｒｅｄ  ＡｃｋｎｏｗｌｅｄｇｅｍｅｎｔメッセージをＢＳＣ／ＲＮＣに送信し、ＣＳ  Ｈａｎｄｏｖｅｒ  Ｒｅｑｕｉｒｅｄ  Ａｃｋｎｏｗｌｅｄｇｅｍｅｎｔメッセージは、ターゲットＭＭＥを決定するための第２情報を有し、ＢＳＣ／ＲＮＣは、ソースＳＧＳＮ（Ｓｅｒｖｉｎｇ  ＧＰＲＳ  Ｓｕｐｐｏｒｔ  Ｎｏｄｅ）に第２情報を有するＰＳ  Ｈａｎｄｏｖｅｒ  Ｒｅｑｕｉｒｅｄメッセージを送信し、これにより、ソースＳＧＳＮがターゲットＭＭＥにＲｅｌｏｃａｔｉｏｎ  Ｒｅｑｕｅｓｔメッセージを送信することを可能にする。
【０１０１】
ＢＳＣ／ＲＮＣは、最初にＣＳ  Ｈａｎｄｏｖｅｒ  Ｒｅｑｕｉｒｅｄ（ＣＳ  ＨＯ  Ｒｅｑｕｉｒｅｄ）メッセージをＭＳＣサーバに送信する必要がある。ＭＳＣサーバは、例えば、ターゲットＥＣＧＩ／ＴＡＩ情報に従ってターゲットＭＭＥを選択し、ＣＳ  ｔｏ  ＰＳ  Ｈａｎｄｏｖｅｒ  Ｒｅｑｕｅｓｔ（ＣＳ  ｔｏ  ＰＳ  ＨＯ  Ｒｅｑｕｅｓｔ）メッセージをターゲットＭＭＥに送信し、これにより、以降のプロセスをトリガする。一方、ＭＳＣサーバは、ＣＳ  Ｈａｎｄｏｖｅｒ  Ｒｅｑｕｉｒｅｄ  Ａｃｋｎｏｗｌｅｄｇｅｍｅｎｔ（ＣＳ  ＨＯ  Ｒｅｑｕｉｒｅｄ  ＡＣＫ）メッセージをＢＳＣ／ＲＮＣに送信し、ＣＳ  Ｈａｎｄｏｖｅｒ  Ｒｅｑｕｉｒｅｄ  Ａｃｋｎｏｗｌｅｄｇｅｍｅｎｔメッセージは、ＭＳＣサーバにより選択されたターゲットＭＭＥを決定するための第２情報を含む。従って、ＢＳＣ／ＲＮＣは、第２情報を含むＰＳ  Ｈａｎｄｏｖｅｒ  Ｒｅｑｕｉｒｅｄ（ＰＳ  ＨＯ  Ｒｅｑｕｉｒｅｄ）メッセージをソースＳＧＳＮに送信し、これにより、ソースＳＧＳＮは第２情報に従ってターゲットＭＭＥを決定することを可能にし、Ｒｅｌｏｃａｔｉｏｎ  ＲｅｑｕｅｓｔメッセージをターゲットＭＭＥに送信する。このようにして、ＭＳＣサーバとＳＧＳＮとが同一のＭＭＥを選択することが保証される。
【０１０２】
ＰＳハンドオーバとＣＳハンドオーバとを同期させるため、本発明の実施例では、あるいは、ＰＳ  Ｈａｎｄｏｖｅｒ  Ｒｅｑｕｉｒｅｄメッセージは更に、ｃｏｎｃｕｒｒｅｎｔ  ＣＳ  ｔｏ  ＰＳ  Ｈａｎｄｏｖｅｒ  Ｒｅｑｕｅｓｔメッセージが存在することを示すための第３情報を有し、ソースＳＧＳＮは、Ｒｅｌｏｃａｔｉｏｎ  Ｒｅｑｕｅｓｔメッセージを用いることによって、第３情報をターゲットＭＭＥに送信し、これにより、ターゲットＭＭＥがＣＳハンドオーバとＰＳハンドオーバとを同期させることを可能にする。
【０１０３】
従って、本発明の実施例によるサービングネットワークにハンドオーバするための方法は、ＭＳＣサーバを用いることによってＭＳＣサーバにより決定されたターゲットＭＭＥに関する情報をＢＳＣ／ＲＮＣに返し、ＢＳＣ／ＲＮＣを用いることによって、当該情報を含むＣＳ  Ｈａｎｄｏｖｅｒ  ＲｅｑｕｉｒｅｄメッセージをソースＳＧＳＮに送信することによって、ソースＳＧＳＮがＭＳＣサーバにより決定されたターゲットＭＭＥとやりとりすることを可能にし、ＭＳＣサーバとＳＧＳＮとが同一のＭＭＥとやりとりすることを保証し、これにより、ＣＳドメインからＰＳドメインに音声サービスをスイッチし、ＰＳハンドオーバプロセスとＣＳハンドオーバプロセスとを同期させ、ハンドオーバの精度及び効率性を向上させ、ユーザ体感を高めることが可能である。
【０１０４】
図９に示されるように、本発明の実施例は更に、サービングネットワークにハンドオーバするための方法６００を提供する。方法６００は以下を含む。
【０１０５】
Ｓ６１０  ＢＳＣ（Ｂａｓｅ  Ｓｔａｔｉｏｎ  Ｃｏｎｔｒｏｌｌｅｒ）／ＲＮＣ（Ｒａｄｉｏ  Ｎｅｔｗｏｒｋ  Ｃｏｎｔｒｏｌｌｅｒ）により送信されたＰＳ  Ｈａｎｄｏｖｅｒ  Ｒｅｑｕｉｒｅｄメッセージを受信する。
【０１０６】
Ｓ６２０  ＰＳ  Ｈａｎｄｏｖｅｒ  Ｒｅｑｕｉｒｅｄメッセージに従ってＲｅｌｏｃａｔｉｏｎ  ＲｅｑｕｅｓｔメッセージをターゲットＭＭＥ（Ｍｏｂｉｌｉｔｙ  Ｍａｎａｇｅｍｅｎｔ  Ｅｎｔｉｔｙ）に送信する。
【０１０７】
Ｓ６３０  ＰＳ  Ｈａｎｄｏｖｅｒ  Ｒｅｑｕｉｒｅｄメッセージに従ってＰＳ  Ｈａｎｄｏｖｅｒ  Ｒｅｑｕｉｒｅｄ  ＡｃｋｎｏｗｌｅｄｇｅｍｅｎｔメッセージをＢＳＣ／ＲＮＣに送信し、ＰＳ  Ｈａｎｄｏｖｅｒ  Ｒｅｑｕｉｒｅｄ  Ａｃｋｎｏｗｌｅｄｇｅｍｅｎｔメッセージは、ターゲットＭＭＥを決定するための第２情報を有し、ＢＳＣ／ＲＮＣは、第２情報を有するＣＳ  Ｈａｎｄｏｖｅｒ  ＲｅｑｕｉｒｅｄメッセージをＭＳＣ（Ｍｏｂｉｌｅ  Ｓｗｉｔｃｈｉｎｇ  Ｃｅｎｔｅｒ）サーバに送信し、これにより、ＭＳＣサーバがＣＳ  ｔｏ  ＰＳ  Ｈａｎｄｏｖｅｒ  ＲｅｑｕｅｓｔメッセージをターゲットＭＭＥに送信することを可能にする。
【０１０８】
ＢＳＣ／ＲＮＣは、まずＰＳ  Ｈａｎｄｏｖｅｒ  Ｒｅｑｕｉｒｅｄ（ＰＳ  ＨＯ  Ｒｅｑｕｉｒｅｄ）メッセージをソースＳＧＳＮに送信する必要がある。ソースＳＧＳＮは、例えば、ＥＣＧＩ／ＴＡＩ情報に従ってターゲットＭＭＥを選択し、Ｒｅｌｏｃａｔｉｏｎ  ＲｅｑｕｅｓｔメッセージをターゲットＭＭＥに送信し、これにより、以降のプロセスをトリガする。一方、ソースＳＧＳＮは、ＰＳ  Ｈａｏｄｖｅｒ  Ｒｅｑｕｉｒｅｄ  Ａｃｋｎｏｗｌｅｄｇｅｍｅｎｔ（ＰＳ  ＨＯ  Ｒｅｑｕｉｒｅｄ  ＡＣＫ）メッセージをＢＳＣ／ＲＮＣに送信し、ＰＳ  Ｈａｎｄｏｖｅｒ  Ｒｅｑｕｉｒｅｄ  Ａｃｋｎｏｗｌｅｄｇｅｍｅｎｔメッセージは、ＳＧＳＮにより選択されたターゲットＭＭＥを決定するための第２情報を含む。従って、ＢＳＣ／ＲＮＣは、第２情報を含むＣＳ  Ｈａｎｄｏｖｅｒ  Ｒｅｑｕｉｒｅｄ（ＣＳ  ＨＯ  Ｒｅｑｕｉｒｅｄ）メッセージをＭＳＣサーバに送信し、これにより、ＭＳＣサーバがＣＳ  ｔｏ  ＰＳ  Ｈａｎｄｏｖｅｒ  Ｒｅｑｕｅｓｔ（ＣＳ  ｔｏ  ＰＳ  ＨＯ  Ｒｅｑｕｅｓｔ）メッセージをターゲットＭＭＥに送信することを可能にする。従って、ＭＳＣサーバとＳＧＳＮとが同一のＭＭＥを選択することが保証される。
【０１０９】
ＰＳハンドオーバとＣＳハンドオーバとを同期させるため、本発明の実施例では、あるいは、ＰＳ  Ｈａｎｄｏｖｅｒ  ＲｅｑｕｉｒｅｄメッセージとＲｅｌｏｃａｔｉｏｎ  Ｒｅｑｕｅｓｔメッセージとは更に、ｃｏｎｃｕｒｒｅｎｔ  ＣＳ  ｔｏ  ＰＳ  Ｈａｎｄｏｖｅｒ  Ｒｅｑｕｅｓｔメッセージが存在することを示すための第３情報を有し、ターゲットＭＭＥは、ＣＳハンドオーバとＰＳハンドオーバとを同期させる。すなわち、Ｒｅｌｏｃａｔｉｏｎ  Ｒｅｑｕｅｓｔメッセージの受信後、ターゲットＭＭＥは、第３情報に従ってｃｏｎｃｕｒｒｅｎｔ  ＣＳ  ｔｏ  ＰＳ  Ｈａｎｄｏｖｅｒ  Ｒｅｑｕｅｓｔメッセージを認識する。従って、ターゲットＭＭＥはＣＳ  ｔｏ  ＰＳ  Ｈａｎｄｏｖｅｒ  Ｒｅｑｕｅｓｔメッセージを待機し、これにより、ＣＳハンドオーバとＰＳハンドオーバとを同期させる。
【０１１０】
従って、本発明の実施例によるサービングネットワークにハンドオーバするための方法は、ＳＧＳＮを用いることによってＳＧＳＮにより決定されたターゲットＭＭＥに関する情報をＢＳＣ／ＲＮＣに返し、ＢＳＣ／ＲＮＣを用いることによって、当該情報を含むＰＳ  Ｈａｎｄｏｖｅｒ  ＲｅｑｕｉｒｅｄメッセージをＭＳＣサーバに送信することによって、ＭＳＣサーバがＳＧＳＮにより決定されたターゲットＭＭＥとやりとりすることを可能にし、ＭＳＣサーバとＳＧＳＮとが同一のＭＭＥとやりとりすることを保証し、これにより、ＣＳドメインからＰＳドメインに音声サービスをスイッチし、ＰＳハンドオーバプロセスとＣＳハンドオーバプロセスとを同期させ、ハンドオーバの精度及び効率性を向上させ、ユーザ体感を高めることが可能である。
【０１１１】
本発明の実施例によるサービングネットワークにハンドオーバするための方法が、図１０を参照して更に詳細に説明される。図１０に示されるように、方法７００は以下を含む。
【０１１２】
ＢＳＣ／ＲＮＣが最初にＣＳ  Ｈａｎｄｏｖｅｒ  Ｒｅｑｕｉｒｅｄメッセージを送信する場合、Ｓ７１１からＳ７１５のプロセスが実行され、ＢＳＣ／ＲＮＣが最初にＰＳ  Ｈａｎｄｏｖｅｒ  Ｒｅｑｕｉｒｅｄメッセージを送信する場合、Ｓ７２１からＳ７２５のプロセスが実行される。
【０１１３】
Ｓ７１１  ＢＳＣ／ＲＮＣは、ＣＳ  Ｈａｎｄｏｖｅｒ  ＲｅｑｕｉｒｅｄメッセージをＭＳＣサーバに送信する。
【０１１４】
Ｓ７１２  ＭＳＣサーバは、ＣＳ  Ｈａｎｄｏｖｅｒ  Ｒｅｑｕｉｒｅｄメッセージに従ってターゲットＭＭＥを決定し、ＣＳ  ｔｏ  ＰＳ  Ｈａｎｄｏｖｅｒ  ＲｅｑｕｅｓｔメッセージをターゲットＭＭＥに送信する。
【０１１５】
Ｓ７１３  ＭＳＣサーバは、ＣＳ  Ｈａｎｄｏｖｅｒ  Ｒｅｑｕｉｒｅｄメッセージに従ってＣＳ  Ｈａｎｄｏｖｅｒ  Ｒｅｑｕｉｒｅｄ  ＡｃｋｎｏｗｌｅｄｇｅｍｅｎｔメッセージをＢＳＣ／ＲＮＣに送信し、ＣＳ  Ｈａｎｄｏｖｅｒ  Ｒｅｑｕｉｒｅｄ  Ａｃｋｎｏｗｌｅｄｇｅｍｅｎｔメッセージは、ＭＳＣサーバにより決定されたターゲットＭＭＥを示す第２情報を含む。
【０１１６】
Ｓ７１４  ＢＳＣ／ＲＮＣは、第２情報を含むＰＳ  Ｈａｎｄｏｖｅｒ  ＲｅｑｕｉｒｅｄメッセージをソースＳＧＳＮに送信する。
【０１１７】
Ｓ７１５  ソースＳＧＳＮは、ＰＳ  Ｈａｎｄｏｖｅｒ  Ｒｅｑｕｉｒｅｄメッセージにおける第２情報に従ってターゲットＭＭＥを決定し、Ｒｅｌｏｃａｔｉｏｎ  ＲｅｑｕｅｓｔメッセージをターゲットＭＭＥに送信する。
【０１１８】
Ｓ７２１  ＢＳＣ／ＲＮＣは、ＰＳ  Ｈａｎｄｏｖｅｒ  ＲｅｑｕｉｒｅｄメッセージをソースＳＧＳＮに送信する。
【０１１９】
Ｓ７２２  ソースＳＧＳＮは、ＰＳ  Ｈａｎｄｏｖｅｒ  Ｒｅｑｕｉｒｅｄメッセージに従ってターゲットＭＭＥを決定し、Ｒｅｌｏｃａｔｉｏｎ  ＲｅｑｕｅｓｔメッセージをターゲットＭＭＥに送信する。
【０１２０】
Ｓ７２３  ソースＳＧＳＮは、ＰＳ  Ｈａｎｄｏｖｅｒ  Ｒｅｑｕｉｒｅｄメッセージに従ってＰＳ  Ｈａｎｄｏｖｅｒ  Ｒｅｑｕｉｒｅｄ  ＡｃｋｎｏｗｌｅｄｇｅｍｅｎｔメッセージをＢＳＣ／ＲＮＣに送信し、ＰＳ  Ｈａｎｄｏｖｅｒ  Ｒｅｑｕｉｒｅｄ  Ａｃｋｎｏｗｌｅｄｇｅｍｅｎｔメッセージは、ソースＳＧＳＮにより決定されたターゲットＭＭＥを示すための第２情報を含む。
【０１２１】
Ｓ７２４  ＢＳＣ／ＲＮＣは、第２情報を含むＣＳ  Ｈａｎｄｏｖｅｒ  ＲｅｑｕｉｒｅｄメッセージをＭＳＣサーバに送信する。
【０１２２】
Ｓ７２５  ＭＳＣサーバは、第２情報に従ってターゲットＭＭＥを決定し、ＣＳ  ｔｏ  ＰＳ  Ｈａｎｄｏｖｅｒ  ＲｅｑｕｅｓｔメッセージをターゲットＭＭＥに送信する。
【０１２３】
Ｓ７３１  ＭＳＣサーバは、Ａｃｃｅｓｓ  Ｔｒａｎｓｆｅｒ  ＮｏｔｉｆｉｃａｔｉｏｎをＡＴＣＦに送信する。
【０１２４】
Ｓ７３２  ターゲットＭＭＥは、リソース設定プロセスを実行するようターゲットｅＮＢをトリガする。
【０１２５】
Ｓ７３３  ターゲットＭＭＥは、Ｒｅｌｏｃａｔｉｏｎ  ＲｅｓｐｏｎｓｅメッセージをソースＳＧＳＮに送信する。
【０１２６】
Ｓ７３４  ソースＳＧＳＮは、Ｈａｎｄｏｖｅｒ  Ｒｅｑｕｉｒｅｄ  Ａｃｋｎｏｗｌｅｄｇｅｍｅｎｔ（ＨＯ  Ｒｅｑｕｉｒｅｄ  ＡＣＫ）メッセージをＢＳＣ／ＲＮＣに送信する。
【０１２７】
Ｓ７３５  ターゲットＭＭＥは、ＣＳ  ｔｏ  ＰＳ  Ｈａｎｄｏｖｅｒ  ＲｅｓｐｏｎｓｅメッセージをＭＳＣサーバに返す。
【０１２８】
Ｓ７３６  ＭＳＣサーバは、ＣＳ  ｔｏ  ＰＳ  Ｈａｎｄｏｖｅｒ  Ｃｏｍｍａｎｄ（ＣＳ  ｔｏ  ＰＳ  ＨＯ  Ｃｏｍｍａｎｄ）をＢＳＣ／ＲＮＣに送信する。
【０１２９】
Ｓ７３７  ＢＳＣ／ＲＮＣは、ＣＳ  ｔｏ  ＰＳ  Ｈａｎｄｏｖｅｒ  ＣｏｍｍａｎｄをＵＥに送信する。
【０１３０】
Ｓ７３８  ＭＳＣサーバは、Ａｃｃｅｓｓ  Ｔｒａｎｓｆｅｒ  Ｐｒｅｐａｒａｔｉｏｎ  ＲｅｑｕｅｓｔメッセージをＡＴＣＦに送信する。
【０１３１】
Ｓ７３９  ＵＥは、ＣＳ  ｔｏ  ＰＳ  Ｈａｎｄｏｖｅｒ  ＡｃｋｎｏｗｌｅｄｇｅｍｅｎｔメッセージをｅＮＢに送信する。
【０１３２】
Ｓ７４０  ｅＮＢは、Ｈａｎｄｏｖｅｒ  ＮｏｔｉｆｙをターゲットＭＭＥに送信する。
【０１３３】
Ｓ７４１  ターゲットＭＭＥは、Ｒｅｌｏｃａｔｉｏｎ  ＣｏｍｐｌｅｔｉｏｎメッセージをソースＳＧＳＮに送信する。
【０１３４】
Ｓ７４２  ターゲットＭＭＥは、Ｍｏｄｉｆｙ  ＢｅａｒｅｒメッセージをＳＧＷ／ＰＧＷに送信する。
【０１３５】
Ｓ７４３  ＵＥ及びＳＧＷ／ＰＧＷは、デフォルトベアラを介し音声を送信する。
【０１３６】
Ｓ７４４  セッション継続プロセスを実行する。
【０１３７】
Ｓ７４５  関連する音声ベアラを設定する。
【０１３８】
Ｓ７４６  ＵＥ及びＳＧＷ／ＰＧＷは、専用のベアラを介し音声を送信する。
【０１３９】
各プロセスのシリアル番号は、実行順序を示していないことが理解されるべきである。各プロセスの実行順序は、ファンクション及びそれの内部ロジックに従って決定されるべきであり、本発明の実施例の実現プロセスに対する限定を設定すべきでない。例えば、Ｓ７１２及びＳ７１３は同時に実行されてもよく、Ｓ７２２及びＳ７２３もまた同時に実行されてもよい。
【０１４０】
従って、本発明の実施例によるサービングネットワークにハンドオーバするための方法は、ＭＳＣサーバにＳＧＳＮにより決定されたターゲットＭＭＥを通知するか、又はＳＧＳＮにＭＳＣサーバにより決定されたターゲットＭＭＥを通知することによって、ＭＳＣサーバとＳＧＳＮとが同一のＭＭＥとやりとりすることを保証し、これにより、ＣＳドメインからＰＳドメインに音声サービスをスイッチし、ＰＳハンドオーバプロセスとＣＳハンドオーバプロセスとを同期させ、ハンドオーバの精度及び効率性を向上させ、ユーザ体感を高めることが可能である。
【０１４１】
本発明の実施例によるサービングネットワークにハンドオーバするための方法が、図１〜１０を参照して詳細に説明された。以下において、図１１〜２０を参照して本発明の実施例による上記方法を実現するためのＭＳＣサーバ、ＳＧＳＮ及びＭＭＥが詳細に説明される。
【０１４２】
図１１は、本発明の実施例によるＭＳＣサーバ１０００の概略的なブロック図である。図１１に示されるように、ＭＳＣサーバ１０００は、
ＢＳＣ（Ｂａｓｅ  Ｓｔａｔｉｏｎ  Ｃｏｎｔｒｏｌｌｅｒ）／ＲＮＣ（Ｒａｄｉｏ  Ｎｅｔｗｏｒｋ  Ｃｏｎｔｒｏｌｌｅｒ）により送信された第１Ｈａｎｄｏｖｅｒ  Ｒｅｑｕｅｓｔを受信するよう構成される第１受信モジュール１１００と、
第１受信モジュール１１００により受信された第１Ｈａｎｄｏｖｅｒ  Ｒｅｑｕｅｓｔに従って、第２Ｈａｎｄｏｖｅｒ  ＲｅｑｕｅｓｔをターゲットＭＭＥ（Ｍｏｂｉｌｉｔｙ  Ｍａｎａｇｅｍｅｎｔ  Ｅｎｔｉｔｙ）に送信するよう構成される送信モジュール１２００であって、第２Ｈａｎｄｏｖｅｒ  Ｒｅｑｕｅｓｔは、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）と、ソースＳＧＳＮ（Ｓｅｒｖｉｎｇ  ＧＰＲＳ  Ｓｕｐｐｏｒｔ  Ｎｏｄｅ）を決定するための第１情報とを有し、ターゲットＭＭＥは、ＩＭＳＩを有するＣｏｎｔｅｘｔ  ＲｅｑｕｅｓｔメッセージをソースＳＧＳＮに送信し、ソースＳＧＳＮにより送信されるＩＭＳＩに対応するＵＥのコンテクスト情報を受信する、送信モジュール１２００と、
を有する。
【０１４３】
本発明の実施例によるＭＳＣサーバは、ＭＳＣサーバにより決定されたＭＭＥを利用することによって、コンテクスト情報をソースＳＧＳＮに求めることによって、ｒＳＲＶＣＣハンドオーバプロセスにおいて、ＭＳＣサーバとＳＧＳＮとがＣＳドメインからＰＳドメインに音声サービスをスイッチするため、同一のＭＭＥとやりとりすることを保証し、これにより、ＭＳＣサーバとＳＧＳＮとが異なるＭＭＥを選択するために生じるハンドオーバの失敗を回避し、ハンドオーバの精度及び効率性を向上し、ユーザ体感を高めることが可能である。
【０１４４】
本発明の実施例では、あるいは、図１２に示されるように、ＭＳＣサーバ１０００は更に、
ターゲットＭＭＥにより送信されたＨａｎｄｏｖｅｒ  Ｃｏｍｐｌｅｔｅメッセージを受信するよう構成される第２受信モジュール１３００と、
関連するＣＳ（Ｃｉｒｃｕｉｔ  Ｓｗｉｔｃｈｅｄ）ドメインリソースをリリースし、第２受信モジュール１３００により受信されたＨａｎｄｏｖｅｒ  Ｃｏｍｐｌｅｔｅメッセージに従ってベアラリリースメッセージをＲＮＣに送信するよう構成されるリリーシングモジュール１４００であって、ＲＮＣは、タイマが満了すると、関連するＰＳリソースをリリースし、タイマは、ＲＮＣが第１Ｈａｎｄｏｖｅｒ  Ｒｅｑｕｅｓｔを送信するとＲＮＣによりスタートされる、リリーシングモジュール１４００と、
を有する。
【０１４５】
あるいは、第１受信モジュール１１００により受信された第１Ｈａｎｄｏｖｅｒ  Ｒｅｑｕｅｓｔは、ＰＳハンドオーバ関連情報のみを有する。
【０１４６】
あるいは、第１受信モジュール１１００により受信される第１Ｈａｎｄｏｖｅｒ  Ｒｅｑｕｅｓｔは、サービングネットワークがＰＳハンドオーバとＣＳハンドオーバとをサポートし、ＵＥがＣＳ及びＰＳ接続状態であるとき、ＢＳＣ／ＲＮＣにより送信されるハンドオーバを要求するための一意的なメッセージである。
【０１４７】
あるいは、サービングネットワークがＨＳＰＡ（Ｈｉｇｈ  Ｓｐｅｅｄ  Ｐａｃｋｅｔ  Ａｃｃｅｓｓ）ネットワークであるとき、第１受信モジュール１１００により受信される第１Ｈａｎｄｏｖｅｒ  Ｒｅｑｕｅｓｔは、ＲＮＣにより送信されるＲｅｌｏｃａｔｉｏｎ  Ｒｅｑｕｉｒｅｄメッセージ又はＢＳＣにより送信されるＣＳ  Ｈａｎｄｏｖｅｒ  Ｒｅｑｕｉｒｅｄメッセージであり、Ｒｅｌｏｃａｔｉｏｎ  Ｒｅｑｕｉｒｅｄメッセージ又はＣＳ  Ｈａｎｄｏｖｅｒ  Ｒｅｑｕｉｒｅｄメッセージは、ソースＲＮＣからターゲットＲＮＣへのトランスペアレントコンテナを有し、ソースＲＮＣからターゲットＲＮＣへのトランスペアレントコンテナのＩｕインスタンスの数量は１に設定され、ソースＲＮＣからターゲットＲＮＣへのトランスペアレントコンテナは、ＰＳハンドオーバ関連情報のみを有する。
【０１４８】
あるいは、サービングネットワークがＬＴＥ（Ｌｏｎｇ  Ｔｅｒｍ  Ｅｖｏｌｕｔｉｏｎ）ネットワークであるとき、第１受信モジュール１１００により受信される第１Ｈａｎｄｏｖｅｒ  Ｒｅｑｕｅｓｔは、ＲＮＣにより送信されるＲｅｌｏｃａｔｉｏｎ  Ｒｅｑｕｉｒｅｄメッセージ又はＢＳＣにより送信されるＣＳ  Ｈａｎｄｏｖｅｒ  Ｒｅｑｕｉｒｅｄメッセージであり、Ｒｅｌｏｃａｔｉｏｎ  Ｒｅｑｕｉｒｅｄメッセージ又はＣＳ  Ｈａｎｄｏｖｅｒ  Ｒｅｑｕｉｒｅｄメッセージは、ソース基地局からターゲット基地局へのトランスペアレントコンテナを有し、ソース基地局からターゲット基地局へのトランスペアレントコンテナは、ＰＳハンドオーバ関連情報のみを有する。
【０１４９】
本発明の実施例によるＭＳＣサーバ１００は、本発明の実施例のＭＳＣサーバに対応してもよく、ＭＳＣサーバ１００のモジュールの上記及び他の処理及び／又は機能は、図１〜７の方法１００〜４００における対応するプロセスをそれぞれ実現するよう構成され、簡単化のため、ここでは繰り返し説明されない。
【０１５０】
本発明の実施例によるＭＳＣサーバは、ＭＳＣサーバにより決定されたＭＭＥを利用することによって、コンテクスト情報をソースＳＧＳＮに求めることによって、ｒＳＲＶＣＣハンドオーバプロセスにおいて、ＭＳＣサーバとＳＧＳＮとがＣＳドメインからＰＳドメインに音声サービスをスイッチするため、同一のＭＭＥとやりとりすることを保証し、これにより、ＭＳＣサーバとＳＧＳＮとが異なるＭＭＥを選択するために生じるハンドオーバの失敗を回避し、ハンドオーバの精度及び効率性を向上し、ユーザ体感を高めることが可能である。
【０１５１】
図１３は、本発明の実施例によるＳＧＳＮ２０００の概略的なブロック図である。図１３に示されるように、ＳＧＳＮ２０００は、
ターゲットＭＭＥ（Ｍｏｂｉｌｉｔｙ  Ｍａｎａｇｅｍｅｎｔ  Ｅｎｔｉｔｙ）により送信されたＣｏｎｔｅｘｔ  Ｒｅｑｕｅｓｔメッセージを受信するよう構成される第１受信モジュール２１００であって、Ｃｏｎｔｅｘｔ  ＲｅｑｕｅｓｔメッセージはＩＭＳＩ（Ｉｎｔｅｒｎａｔｉｏｎｌａ  Ｍｏｂｉｌｅ  Ｓｕｂｓｃｒｉｂｅｒ  Ｉｄｅｎｔｉｔｙ）を有し、Ｃｏｎｔｅｘｔ  Ｒｅｑｕｅｓｔメッセージは、ＭＳＣ（Ｍｏｂｉｌｅ  Ｓｗｉｔｃｈｉｎｇ  Ｃｅｎｔｅｒ）サーバからのＨａｎｄｏｖｅｒ  Ｒｅｑｕｅｓｔに従ってターゲットＭＭＥにより送信されるメッセージであり、Ｈａｎｄｏｖｅｒ  Ｒｅｑｕｅｓｔは、ＩＭＳＩとＳＧＳＮ（Ｓｅｒｖｉｎｇ  ＧＰＲＳ  Ｓｕｐｐｏｒｔ  Ｎｏｄｅ）を決定するための第１情報とを有する、第１受信モジュール２１００と、
第１受信モジュール２１００により受信されたＣｏｎｔｅｘｔ  Ｒｅｑｕｅｓｔメッセージに従ってＣｏｎｔｅｘｔ  ＲｅｓｐｏｎｓｅメッセージをターゲットＭＭＥに送信するよう構成される送信モジュール２２００であって、Ｃｏｎｔｅｘｔ  ＲｅｓｐｏｎｓｅメッセージはＩＭＳＩに対応するＵＥのコンテクスト情報を有する、送信モジュール２２００と、
を有する。
【０１５２】
本発明の実施例では、あるいは、図１４に示されるように、ＳＧＳＮ２０００は更に、
ターゲットＭＭＥにより送信されたハンドオーバの完了を通知するための通知メッセージを受信するよう構成される第２受信モジュール２３００と、
タイマをスタートし、タイマが満了すると関連するＰＳリソースをリリースするよう構成されるリリーシングモジュール２４００と、
を有する。
【０１５３】
あるいは、第２受信モジュール２３００により受信される通知メッセージは、コンテクスト情報の受信を確認するため、基地局からのＨａｎｄｏｖｅｒ  Ｎｏｔｉｆｙメッセージに従ってターゲットＭＭＥにより送信されるメッセージである。
【０１５４】
あるいは、図１５に示されるように、リリーシングモジュール２４００は、
タイマが満了すると当該ＳＧＳＮ上の関連するＰＳリソースをリリースするよう構成されるリリーシングユニット２４１０と、
ＢＳＣ（Ｂａｓｅ  Ｓｔａｔｉｏｎ  Ｃｏｎｔｏｒｌｌｅｒ）／ＲＮＣ（Ｒａｄｉｏ  Ｎｅｔｗｏｒｋ  Ｃｏｎｔｒｏｌｌｅｒ）にＲｅｌｅａｓｅ  Ｒｅｓｏｕｒｃｅメッセージを送信するよう構成される第１送信ユニット２４２０であって、ＢＳＣ／ＲＮＣは、Ｒｅｌｅａｓｅ  Ｒｅｓｏｕｒｃｅメッセージに従って関連するＰＳリソースをリリースする、第１送信ユニット２４２０と、
を有する。
【０１５５】
あるいは、図１５に示されるように、リリーシングモジュール２４００は更に、当該ＳＧＳＮがＳ４  ＳＧＳＮであり、ＳＧＷ（Ｓｅｒｖｉｎｇ  Ｇａｔｅｗａｙ）に対して変更が行われると、Ｄｅｌｅｔｅ  Ｓｅｓｓｉｏｎ  ＲｅｑｕｅｓｔメッセージをＳＧＷに送信するよう構成される第２送信ユニット２４３０であって、ＳＧＷは、Ｄｅｌｅｔｅ  Ｓｅｓｓｉｏｎ  Ｒｅｑｕｅｓｔメッセージに従って関連するＰＳリソースをリリースする、第２送信ユニット２４３０を有する。
【０１５６】
本発明の実施例によるＳＧＳＮ２０００は、本発明の実施例のＳＧＳＮに対応してもよく、ＳＧＳＮ２０００のモジュールの上記及び他の処理及び／又は機能は、図１〜７の方法１００〜４００における対応するプロセスをそれぞれ実現するよう構成され、簡単化のため、ここでは繰り返し説明されない。
【０１５７】
従って、本発明の実施例によるＳＧＳＮは、ＭＳＣサーバにより決定されたＭＭＥを利用することによって、コンテクスト情報をソースＳＧＳＮに求めることによって、ｒＳＲＶＣＣハンドオーバプロセスにおいて、ＭＳＣサーバとＳＧＳＮとがＣＳドメインからＰＳドメインに音声サービスをスイッチするため、同一のＭＭＥとやりとりすることを保証し、これにより、ＭＳＣサーバとＳＧＳＮとが異なるＭＭＥを選択するために生じるハンドオーバの失敗を回避し、ハンドオーバの精度及び効率性を向上し、ユーザ体感を高めることが可能である。
【０１５８】
図１６は、本発明の実施例によるＭＭＥ３０００の概略的なブロック図である。図１６に示されるように、ＭＭＥ３０００は、
ＭＳＣ（Ｍｏｂｉｌｉｔｙ  Ｓｗｉｔｃｈｉｎｇ  Ｃｅｎｔｅｒ）サーバにより送信される第２Ｈａｎｄｏｖｅｒ  Ｒｅｑｕｅｓｔを受信するよう構成される第１受信モジュール３１００であって、第２Ｈａｎｄｏｖｅｒ  Ｒｅｑｕｅｓｔは、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）と、ソースＳＧＳＮ（Ｓｅｒｖｉｎｇ  ＧＰＲＳ  Ｓｕｐｐｏｒｔ  Ｎｏｄｅ）を決定するための第１情報とを有し、第２Ｈａｎｄｏｖｅｒ  Ｒｅｑｕｅｓｔは、ＢＳＣ（Ｂａｓｅ  Ｓｔａｔｉｏｎ  Ｃｏｎｔｒｏｌｌｅｒ）／ＲＮＣ（Ｒａｄｉｏ  Ｎｅｔｗｏｒｋ  Ｃｏｎｔｒｏｌｌｅｒ）からの第１Ｈａｎｄｏｖｅｒ  Ｒｅｑｕｅｓｔに従ってＭＳＣサーバにより送信されるリクエストである、第１受信モジュール３１００と、
第１受信モジュール３１００により受信された第２Ｈａｎｄｏｖｅｒ  Ｒｅｑｕｅｓｔに含まれる第１情報に従ってソースＳＧＳＮを決定するよう構成される決定モジュール３２００と、
決定モジュール３２００により決定されたソースＳＧＳＮにＩＭＳＩを有するＣｏｎｔｅｘｔ  Ｒｅｑｕｅｓｔメッセージを送信するよう構成される第１送信モジュール３３００と、
ソースＳＧＳＮにより送信されるＣｏｎｔｅｘｔ  Ｒｅｓｐｏｎｓｅメッセージを受信するよう構成される第２受信モジュール３４００であって、Ｃｏｎｔｅｘｔ  Ｒｅｓｐｏｎｓｅメッセージは、ＩＭＳＩに対応するＵＥのコンテクスト情報を有する、第２受信モジュール３４００と、
を有する。
【０１５９】
本発明の実施例では、あるいは、図１７に示されるように、ＭＭＥ３０００は更に、
基地局により送信されたＨａｎｄｏｖｅｒ  Ｎｏｔｉｆｙメッセージを受信するよう構成される第３受信モジュール３５００と、
ハンドオーバの完了を通知するための通知メッセージを第３受信モジュール３５００により受信されたＨａｎｄｏｖｅｒ  Ｎｏｔｉｆｙメッセージに従ってソースＳＧＳＮに送信するよう構成される第２送信モジュール３６００であって、ソースＳＧＳＮは、通知メッセージの受信後にタイマをスタートし、タイマが満了すると関連するＰＳリソースをリリースする、第２送信モジュール３６００と、
を有する。
【０１６０】
あるいは、第１受信モジュール３１００により受信される第２Ｈａｎｄｏｖｅｒ  Ｒｅｑｕｅｓｔは、ＢＳＣ／ＲＮＣからの第１Ｈａｎｄｏｖｅｒ  Ｒｅｑｕｅｓｔに従ってＭＳＣサーバにより送信されるリクエストであり、第１Ｈａｎｄｏｖｅｒ  Ｒｅｑｕｅｓｔは、ＰＳハンドオーバ関連情報のみを有する。
【０１６１】
本発明の実施例によるＭＭＥ３０００は、本発明の実施例のターゲットＭＭＥに対応してもよく、ＭＭＥ３０００のモジュールの上記及び他の処理及び／又は機能は、図１〜７の方法１００〜４００における対応するプロセスをそれぞれ実現するよう構成され、簡単化のため、ここでは繰り返し説明されない。
【０１６２】
従って、本発明の実施例によるＭＭＥは、ＭＳＣサーバにより決定されたＭＭＥを利用することによって、コンテクスト情報をソースＳＧＳＮに求めることによって、ｒＳＲＶＣＣハンドオーバプロセスにおいて、ＭＳＣサーバとＳＧＳＮとがＣＳドメインからＰＳドメインに音声サービスをスイッチするため、同一のＭＭＥとやりとりすることを保証し、これにより、ＭＳＣサーバとＳＧＳＮとが異なるＭＭＥを選択するために生じるハンドオーバの失敗を回避し、ハンドオーバの精度及び効率性を向上し、ユーザ体感を高めることが可能である。
【０１６３】
図１８は、本発明の実施例による基地局コントローラＢＳＣ／無線ネットワークコントローラＲＮＣ４０００の概略的なブロック図である。図１８に示されるように、ＢＳＣ／ＲＮＣ４０００は、
サービングネットワークがＰＳハンドオーバとＣＳハンドオーバとをサポートし、ＵＥがＣＳ及びＰＳ接続状態にあるとき、ＭＳＣ（Ｍｏｂｉｌｅ  Ｓｗｉｔｃｈｉｎｇ  Ｃｅｎｔｅｒ）サーバにハンドオーバを要求するための一意的な第１Ｈａｎｄｏｖｅｒ  Ｒｅｑｕｅｓｔを送信するよう構成される送信モジュール４１００を有する。
【０１６４】
本発明の実施例では、あるいは、サービングネットワークがＬＴＥ（Ｌｏｎｇ  Ｔｅｒｍ  Ｅｖｏｌｕｔｉｏｎ）ネットワークであるとき、送信モジュールにより送信される第１Ｈａｎｄｏｖｅｒ  Ｒｅｑｕｅｓｔが、当該ＲＮＣにより送信されるＲｅｌｏｃａｔｉｏｎ  Ｒｅｑｕｉｒｅｄメッセージ又は当該ＢＳＣにより送信されるＣＳ  Ｈａｎｄｏｖｅｒ  Ｒｅｑｕｉｒｅｄメッセージであり、Ｒｅｌｏｃａｔｉｏｎ  Ｒｅｑｕｉｒｅｄメッセージ又はＣＳ  Ｈａｎｄｏｖｅｒ  Ｒｅｑｕｉｒｅｄメッセージは、ソース基地局からターゲット基地局へのトランスペアレントコンテナを有し、ソース基地局からターゲット基地局へのトランスペアレントコンテナは、ＰＳハンドオーバ関連情報のみを有する。
【０１６５】
本発明の実施例によるＢＳＣ／ＲＮＣ４０００は、本発明の実施例のＢＳＣ／ＲＮＣに対応してもよく、ＢＳＣ／ＲＮＣ４０００のモジュールの上記及び他の処理及び／又は機能は、図１〜７の方法１００〜４００における対応するプロセスをそれぞれ実現するよう構成され、簡単化のため、ここでは繰り返し説明されない。
【０１６６】
従って、本発明の実施例によるＢＳＣ／ＲＮＣは、ＭＳＣサーバにより決定されたＭＭＥを利用することによって、コンテクスト情報をソースＳＧＳＮに求めることによって、ｒＳＲＶＣＣハンドオーバプロセスにおいて、ＭＳＣサーバとＳＧＳＮとがＣＳドメインからＰＳドメインに音声サービスをスイッチするため、同一のＭＭＥとやりとりすることを保証し、これにより、ＭＳＣサーバとＳＧＳＮとが異なるＭＭＥを選択するために生じるハンドオーバの失敗を回避し、ハンドオーバの精度及び効率性を向上し、ユーザ体感を高めることが可能である。
【０１６７】
図１９は、本発明の他の実施例によるＭＳＣサーバ５０００の概略的なブロック図である。図１９に示されるように、ＭＳＣサーバ５０００は、
ＢＳＣ（Ｂａｓｅ  Ｓｔａｔｉｏｎ  Ｃｏｎｔｏｌｌｅｒ）／ＲＮＣ（Ｒａｄｉｏ  Ｎｅｔｗｏｒｋ  Ｃｏｎｔｒｏｌｌｅｒ）により送信されたＣＳ  Ｈａｎｄｏｖｅｒ  Ｒｅｑｕｉｒｅｄメッセージを受信するよう構成される受信モジュール５１００と、
受信モジュール５１００により受信されたＣＳ  Ｈａｎｄｏｖｅｒ  Ｒｅｑｕｉｒｅｄメッセージに従って、ＣＳ  ｔｏ  ＰＳ  Ｈａｎｄｏｖｅｒ  ＲｅｑｕｅｓｔメッセージをターゲットＭＭＥ（Ｍｏｂｉｌｉｔｙ  Ｍａｎａｇｅｍｅｎｔ  Ｅｎｔｉｔｙ）に送信するよう構成される第１送信モジュール５２００と、
受信モジュール５１００により受信されるＣＳ  Ｈａｎｄｏｖｅｒ  Ｒｅｑｕｉｒｅｄメッセージに従って、ＣＳ  Ｈａｎｄｏｖｅｒ  Ｒｅｑｕｉｒｅｄ  ＡｃｋｎｏｗｌｅｄｇｅｍｅｎｔメッセージをＢＳＣ／ＲＮＣに送信するよう構成される第２送信モジュール５３００であって、ＣＳ  Ｈａｎｄｏｖｅｒ  Ｒｅｑｕｉｒｅｄ  Ａｃｋｎｏｗｌｅｄｇｅｍｅｎｔメッセージは、ターゲットＭＭＥを決定するための第２情報を有し、ＢＳＣ／ＲＮＣは、ソースＳＧＳＮ（Ｓｅｒｖｉｎｇ  ＧＰＲＳ  Ｓｕｐｐｏｒｔ  Ｎｏｄｅ）に第２情報を有するＰＳ  Ｈａｎｄｏｖｅｒ  Ｒｅｑｕｉｒｅｄメッセージを送信し、これにより、ソースＳＧＳＮがＲｅｌｏｃａｔｉｏｎ  ＲｅｑｕｅｓｔメッセージをターゲットＭＭＥに送信することを可能にする、第２送信モジュール５３００と、
を有する。
【０１６８】
あるいは、ＰＳ  Ｈａｎｄｏｖｅｒ  Ｒｅｑｕｉｒｅｄメッセージは更に、ｃｏｎｃｕｒｒｅｎｔ  ＣＳ  ｔｏ  ＰＳ  Ｈａｎｄｏｖｅｒ  Ｒｅｑｕｅｓｔメッセージが存在することを示すための第３情報を有し、ソースＳＧＳＮは、Ｒｅｌｏｃａｔｉｏｎ  Ｒｅｑｕｅｓｔメッセージを用いることによって、第３情報をターゲットＭＭＥに送信し、これにより、ターゲットＭＭＥがＣＳハンドオーバとＰＳハンドオーバとに同期することを可能にする。
【０１６９】
本発明の実施例によるＭＳＣサーバ５０００は、本発明の実施例のＭＳＣサーバに対応してもよく、ＭＳＣサーバ５０００のモジュールの上記及び他の処理及び／又は機能は、図８，１０の方法５００，７００における対応するプロセスをそれぞれ実現するよう構成され、簡単化のため、ここでは繰り返し説明されない。
【０１７０】
従って、本発明の実施例によるＭＳＣサーバは、ＭＳＣサーバを利用することによってＢＳＣ／ＲＮＣにＭＳＣサーバにより決定されたターゲットＭＭＥに関する情報を返し、ＢＳＣ／ＲＮＣを利用することによって当該情報を含むＣＳ  Ｈａｎｄｏｖｅｒ  ＲｅｑｕｉｒｅｄメッセージをソースＳＧＳＮに送信することによって、ソースＳＧＳＮがＭＳＣサーバにより決定されたターゲットＭＭＥとやりとりすることを可能にし、ＭＳＣサーバとＳＧＳＮとが同一のＭＭＥとやりとりすることを保証し、これにより、ＣＳドメインからＰＳドメインに音声サービスをスイッチし、ＰＳハンドオーバプロセスとＣＳハンドオーバプロセスとを同期させ、ハンドオーバの精度及び効率性を向上し、ユーザ体感を高めることが可能である。
【０１７１】
図２０は、本発明の他の実施例によるＳＧＳＮ６０００の概略的なブロック図である。図２０に示されるように、ＳＧＳＮ６０００は、
ＢＳＣ（Ｂａｓｅ  Ｓｔａｔｉｏｎ  Ｃｏｎｔｒｏｌｌｅｒ）／ＲＮＣ（Ｒａｄｉｏ  Ｎｅｔｗｏｒｋ  Ｃｏｎｔｒｏｌｌｅｒ）により送信されたＰＳ  Ｈａｎｄｏｖｅｒ  Ｒｅｑｕｉｒｅｄメッセージを受信するよう構成される受信モジュール６１００と、
受信モジュール６１００により受信されたＰＳ  Ｈａｎｄｏｖｅｒ  Ｒｅｑｕｉｒｅｄメッセージに従って、Ｒｅｌｏｃａｔｉｏｎ  ＲｅｑｕｅｓｔメッセージをターゲットＭＭＥ（Ｍｏｂｉｌｉｔｙ  Ｍａｎａｇｅｍｅｎｔ  Ｅｎｔｉｔｙ）に送信するよう構成される第１送信モジュール６２００と、
受信モジュール６１００により受信されたＰＳ  Ｈａｎｄｏｖｅｒ  Ｒｅｑｕｉｒｅｄメッセージに従って、ＰＳ  Ｈａｎｄｏｖｅｒ  Ｒｅｑｕｉｒｅｄ  ＡｃｋｎｏｗｌｅｄｇｅｍｅｎｔメッセージをＢＳＣ／ＲＮＣに送信するよう構成される第２送信モジュール６３００であって、ＰＳ  Ｈａｎｄｏｖｅｒ  Ｒｅｑｕｉｒｅｄ  Ａｃｋｎｏｗｌｅｄｇｅｍｅｎｔメッセージは、ターゲットＭＭＥを決定するための第２情報を有し、ＢＳＣ／ＲＮＣは、ＭＳＣ（Ｍｏｂｉｌｅ  Ｓｗｉｔｃｈｉｎｇ  Ｃｅｎｔｅｒ）サーバに第２情報を有するＣＳ  Ｈａｎｄｏｖｅｒ  Ｒｅｑｕｉｒｅｄメッセージを送信し、これにより、ＭＳＣサーバがターゲットＭＭＥにＣＳ  ｔｏ  ＰＳ  Ｈａｎｄｏｖｅｒ  Ｒｅｑｕｅｓｔメッセージを送信することを可能にする、第２送信モジュール６３００と、
を有する。
【０１７２】
あるいは、第１送信モジュール６２００により送信されるＲｅｌｏｃａｔｉｏｎ  Ｒｅｑｕｅｓｔメッセージと、第２送信モジュール６３００により送信されるＰＳ  Ｈａｎｄｏｖｅｒ  Ｒｅｑｕｉｒｅｄメッセージとは更に、ｃｏｎｃｕｒｒｅｎｔ  ＣＳ  ｔｏ  ＰＳ  Ｈａｎｄｏｖｅｒ  Ｒｅｑｕｅｓｔメッセージが存在することを示すための第３情報を有し、ターゲットＭＭＥは、ＣＳハンドオーバとＰＳハンドオーバとを同期させる。
【０１７３】
本発明の実施例によるＳＧＳＮ６０００は、本発明の実施例のＳＧＳＮ６０００に対応してもよく、ＳＧＳＮ６０００のモジュールの上記及び他の処理及び／又は機能は、図９，１０の方法６００，７００における対応するプロセスをそれぞれ実現するよう構成され、簡単化のため、ここでは繰り返し説明されない。
【０１７４】
従って、本発明の実施例によるＳＧＳＮは、ＳＧＳＮを利用することによってＢＳＣ／ＲＮＣにＳＧＳＮにより決定されたターゲットＭＭＥに関する情報を返し、ＢＳＣ／ＲＮＣを利用することによって当該情報を含むＰＳ  Ｈａｎｄｏｖｅｒ  ＲｅｑｕｉｒｅｄメッセージをＭＳＣサーバに送信することによって、ＭＳＣサーバがＳＧＳＮにより決定されたターゲットＭＭＥとやりとりすることを可能にし、ＭＳＣサーバとＳＧＳＮとが同一のＭＭＥとやりとりすることを保証し、これにより、ＣＳドメインからＰＳドメインに音声サービスをスイッチし、ＰＳハンドオーバプロセスとＣＳハンドオーバプロセスとを同期させ、ハンドオーバの精度及び効率性を向上し、ユーザ体感を高めることが可能である。
【０１７５】
当業者は、本明細書に開示された実施例に説明される具体例に関連して、ユニット及びアルゴリズムのステップが電子的ハードウェア、コンピュータソフトウェア又はこれらの組み合わせにより実現されてもよいことを認識するかもしれない。ハードウェアとソフトウェアとの間の互換性を明確に説明するため、上記では、機能に従って各具体例のステップ及び構成を全体的に説明した。これらの機能がハードウェア又はソフトウェアにより実行されるか否かは、技術的手段の特定のアプリケーション及び設計の制約に依存する。当業者は、異なる方法を利用して各アプリケーションの説明された機能を実現してもよく、これらの実現形態は本発明の範囲を超えているとみなされるべきでない。
【０１７６】
便宜上及び説明の簡単化のため、上記システム、装置及びユニットの詳細な動作プロセスについて、方法の実施例における対応するプロセスが参照されてもよいことは、当業者に明らかに理解されるかもしれず、詳細はここでは再び説明されない。
【０１７７】
本出願において提供される複数の実施例において、開示されるシステム、装置及び方法は他の方法により実現されてもよいことが理解されるべきである。例えば、説明された装置の実施例は単なる一例である。例えば、ユニットの分割は単なる論理的機能の分割であり、実際の実装では他の分割であってもよい。例えば、複数のユニット又はコンポーネントが他のシステムに合成又は統合されてもよく、あるいは、いくつかの特徴は無視又は実行されなくてもよい。さらに、表示又は説明された相互接続又は直接的な接続若しくは通信接続は、いくつかのインタフェースを介し実現される。装置又はユニットの間の間接的な接続又は通信接続は、電子、機械又は他の形式により実現されてもよい。
【０１７８】
別個のパーツとして説明されたユニットは、物理的に分離されてもよいし、又はそうでなくてもよく、ユニットとして表示されたパーツは、物理的ユニットであってもよいし、そうでなくてもよく、１つの位置に配置されてもよく、あるいは、複数のネットワークユニットに分散されてもよい。これらのユニットの一部又は全ては、本発明の実施例の手段の課題を解決するための実際のニーズに従って選択されてもよい。
【０１７９】
さらに、本発明の実施例における機能ユニットは処理ユニットに統合されてもよく、あるいは、各ユニットは物理的に単独で存在してもよく、あるいは、２以上のユニットがあるユニットに統合されてもよい。統合されたユニットは、ハードウェアの形式により実現されてもよいし、あるいは、ソフトウェア機能ユニットの形式により実現されてもよい。
【０１８０】
統合されたユニットはソフトウェア機能ユニットの形式により実現され、独立した製品として販売若しくは利用されるとき、統合されたユニットは、コンピュータ可読記憶媒体に格納されてもよい。このような理解に基づき、本発明の技術的手段、従来技術に寄与する部分又は技術的手段の全て若しくは一部は、ソフトウェアプロダクトの形式により実現されてもよい。コンピュータソフトウェアプロダクトは、記憶媒体に格納され、コンピュータ装置（パーソナルコンピュータ、サーバ又はネットワーク装置であってもよい）に本発明の実施例に説明された方法のステップの全て又は一部を実行するよう指示するための複数の命令を含む。記憶媒体は、ＵＳＢフラッシュディスク、着脱可能なハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなど、プログラムコードを格納可能な何れかの媒体を含む。
【０１８１】
上記説明は、本発明の単なる特定の実施例であり、本発明の保護範囲を限定することを意図するものでない。当業者により理解される何れかの均等な修正又は置換は、本発明の技術的範囲内である。従って、本発明の保護範囲は、請求項の保護範囲に従う。
【図１】
2014526816.tif 000003
【図２】
2014526816.tif 000004
【図３】
2014526816.tif 000005
【図４】
2014526816.tif 000006
【図５】
2014526816.tif 000007
【図６】
2014526816.tif 000008
【図７】
2014526816.tif 000009
【図８】
2014526816.tif 000010
【図９】
2014526816.tif 000011
【図１０】
2014526816.tif 000012
【図１１】
2014526816.tif 000013
【図１２】
2014526816.tif 000014
【図１３】
2014526816.tif 000015
【図１４】
2014526816.tif 000016
【図１５】
2014526816.tif 000017
【図１６】
2014526816.tif 000018
【図１７】
2014526816.tif 000019
【図１８】
2014526816.tif 000020
【図１９】
2014526816.tif 000021
【図２０】
2014526816.tif 000022
【国際調査報告】
2014526816.tif 000023
2014526816.tif 000024
2014526816.tif 000025
2014526816.tif 000026
2014526816.tif 000027
2014526816.tif 000028